(57)【要約】  ワイヤレス通信のための方法、システム、およびデバイスが説明される。基地局は、半永続スケジューリング(SPS)アップリンクメッセージの再送信をハイブリッド自動再送要求(HARQ)フィードバックと揃えるためのスケジューリング方式を用いてユーザ機器(UE)を構成することができる。SPS送信のために指定されないリソースではなく、SPS送信のために指定されるリソース上でアップリンクメッセージの再送信をスケジューリングするための技法も説明される。本開示の態様はまた、受信機におけるパケットロスを減らすために、増分的冗長性HARQフィードバックを使用することを含む。場合によっては、アップリンクメッセージを受信する基地局は、アップリンクメッセージの冗長バージョンID(RVID)に関する異なる仮定に基づく複数のプロセスを使用してメッセージを復号し得る。
2019525609.tif 000002
【特許請求の範囲】
【請求項１】
ワイヤレス通信のための方法であって、
ハイブリッド自動再送要求(HARQ)プロセスタイミングを特定するステップと、
半永続スケジューリング(SPS)アップリンク送信のために指定される送信時間間隔(TTI)間の時間長を特定するステップと、
前記SPSアップリンク送信のためのキャリアを構成するステップであって、前記SPSアップリンク送信のスケジュールが、前記HARQプロセスタイミングと、前記SPSアップリンク送信のために指定される前記TTI間の前記時間長とに少なくとも一部基づく、ステップと、
前記キャリア構成および前記SPSアップリンク送信の前記スケジュールを示すシグナリングを送信するステップとを備える、方法。
【請求項２】
前記スケジュールに従って前記SPSアップリンク送信のために指定される第1のTTIの間にアップリンクメッセージを受信するステップと、
前記SPSアップリンク送信のために指定される第2のTTI上で前記アップリンクメッセージの再送信を受信するステップとをさらに備え、前記再送信のタイミングが前記スケジュールおよび前記HARQプロセスタイミングに少なくとも一部基づく、請求項1に記載の方法。
【請求項３】
前記HARQプロセスタイミングに少なくとも一部基づいて前記SPSアップリンク送信のために指定されるTTI間の前記時間長を構成するステップをさらに備える、請求項1に記載の方法。
【請求項４】
前記SPSアップリンク送信のために指定されたTTI間の前記時間長が、前記SPSアップリンク送信のために指定されたTTIの間の前記HARQプロセスタイミングに従ってアップリンクメッセージの再送信をサポートするように構成される、請求項3に記載の方法。
【請求項５】
前記HARQプロセスタイミングが送信と再送信との間に8TTIの時間長を備える、請求項3に記載の方法。
【請求項６】
前記SPSアップリンク送信のために指定されるTTI間の前記時間長に少なくとも一部基づいて前記HARQプロセスタイミングを構成するステップをさらに備える、請求項1に記載の方法。
【請求項７】
前記SPSアップリンク送信のために指定されたTTI間の前記時間長が、前記SPSアップリンク送信のために指定されたTTIの間の前記HARQプロセスタイミングに従ってアップリンクメッセージの再送信をサポートするように構成される、請求項6に記載の方法。
【請求項８】
前記SPSアップリンク送信のために指定される前記TTI間の前記時間長が10TTIの時間長を備える、請求項6に記載の方法。
【請求項９】
ワイヤレス通信のための方法であって、
キャリアが半永続スケジューリング(SPS)アップリンク送信のために構成されることを示すシグナリングを受信するステップであって、前記SPSアップリンク送信のスケジュールが、ハイブリッド自動再送要求(HARQ)プロセスタイミングと、前記SPSアップリンク送信のために指定される送信時間間隔(TTI)間の時間長とに少なくとも一部基づく、ステップと、
前記シグナリングに少なくとも一部基づいて前記SPSアップリンク送信のために指定される前記TTI間の前記時間長を決定するステップと、
前記SPSアップリンク送信の前記スケジュールおよび前記HARQプロセスタイミングに従って、前記SPSアップリンク送信のために指定される前記TTIの間に基地局と通信するステップとを備える、方法。
【請求項１０】
前記基地局と通信するステップが、
前記スケジュールに従って前記SPSアップリンク送信のために指定される第1のTTIの間にアップリンクメッセージを送信するステップと、
前記SPSアップリンク送信のために指定される第2のTTI上で前記アップリンクメッセージを再送信するステップとを備え、前記再送信のタイミングが前記スケジュールおよび前記HARQプロセスタイミングに少なくとも一部基づく、請求項9に記載の方法。
【請求項１１】
否定応答(NACK)を受信するステップをさらに備え、前記SPSアップリンク送信のために指定される前記第2のTTI上で前記アップリンクメッセージを再送信するステップが、前記NACKを受信したことに少なくとも一部基づく、請求項10に記載の方法。
【請求項１２】
ワイヤレス通信のための方法であって、
半永続スケジューリング(SPS)アップリンク送信のためのキャリアを構成するステップと、
前記SPSアップリンク送信のために指定される送信時間間隔(TTI)の間にアップリンクメッセージを受信するステップと、
前記アップリンクメッセージが前記アップリンクメッセージの第1の送信であるという仮定に少なくとも一部基づく第1の動作に従って前記アップリンクメッセージを復号するステップと、
前記アップリンクメッセージが前記アップリンクメッセージの第2の送信であるという仮定に少なくとも一部基づく第2の動作に従って前記アップリンクメッセージを復号するステップとを備え、前記第2の動作が、前記アップリンクメッセージを、前記アップリンクメッセージの前の所定の数のTTIにおいて受信される少なくとも1つの以前のアップリンクメッセージと合成することを備える、方法。
【請求項１３】
前記アップリンクメッセージが前記アップリンクメッセージの第3の送信であるという仮定に少なくとも一部基づく第3の動作に従って前記アップリンクメッセージを復号するステップをさらに備え、前記第3の動作が、前記アップリンクメッセージを、前記アップリンクメッセージの前の所定の数のTTIにおいて各々受信される少なくとも2つの以前のアップリンクメッセージと合成することを備える、請求項12に記載の方法。
【請求項１４】
前記アップリンクメッセージが前記アップリンクメッセージの第4の送信であるという仮定に少なくとも一部基づく第4の動作に従って前記アップリンクメッセージを復号するステップをさらに備え、前記第4の動作が、前記アップリンクメッセージを、前記アップリンクメッセージの前の所定の数のTTIにおいて各々受信される少なくとも3つの以前のアップリンクメッセージと合成することを備える、請求項13に記載の方法。
【請求項１５】
前記所定の数のTTIが8の倍数個のTTIを備える、請求項12に記載の方法。
【請求項１６】
前記第1の動作に従って前記アップリンクメッセージを復号し、前記第2の動作に従って前記アップリンクメッセージを復号したことに少なくとも一部基づいて、前記アップリンクメッセージのハイブリッド自動再送要求(HARQ)プロセスの冗長バージョンを決定するステップをさらに備える、請求項12に記載の方法。
【請求項１７】
システムにおけるワイヤレス通信のための装置であって、
ハイブリッド自動再送要求(HARQ)プロセスタイミングを特定するための手段と、
半永続スケジューリング(SPS)アップリンク送信のために指定される送信時間間隔(TTI)間の時間長を特定するための手段と、
前記SPSアップリンク送信のためのキャリアを構成するための手段であって、前記SPSアップリンク送信のスケジュールが、前記HARQプロセスタイミングと、前記SPSアップリンク送信のために指定される前記TTI間の前記時間長とに少なくとも一部基づく、手段と、
前記キャリア構成および前記SPSアップリンク送信の前記スケジュールを示すシグナリングを送信するための手段とを備える、装置。
【請求項１８】
前記スケジュールに従って前記SPSアップリンク送信のために指定される第1のTTIの間にアップリンクメッセージを受信するための手段と、
前記SPSアップリンク送信のために指定される第2のTTI上で前記アップリンクメッセージの再送信を受信するための手段とをさらに備え、前記再送信のタイミングが前記スケジュールおよび前記HARQプロセスタイミングに少なくとも一部基づく、請求項17に記載の装置。
【請求項１９】
前記HARQプロセスタイミングに少なくとも一部基づいて前記SPSアップリンク送信のために指定されるTTI間の前記時間長を構成するための手段をさらに備える、請求項17に記載の装置。
【請求項２０】
前記SPSアップリンク送信のために指定されたTTI間の前記時間長が、前記SPSアップリンク送信のために指定されたTTIの間の前記HARQプロセスタイミングに従ってアップリンクメッセージの再送信をサポートするように構成される、請求項19に記載の装置。
【請求項２１】
前記HARQプロセスタイミングが送信と再送信との間に8TTIの時間長を備える、請求項19に記載の装置。
【請求項２２】
前記SPSアップリンク送信のために指定されるTTI間の前記時間長に少なくとも一部基づいて前記HARQプロセスタイミングを構成するための手段をさらに備える、請求項17に記載の装置。
【請求項２３】
前記SPSアップリンク送信のために指定されたTTI間の前記時間長が、前記SPSアップリンク送信のために指定されたTTIの間の前記HARQプロセスタイミングに従ってアップリンクメッセージの再送信をサポートするように構成される、請求項22に記載の装置。
【請求項２４】
前記SPSアップリンク送信のために指定される前記TTI間の前記時間長が10TTIの時間長を備える、請求項22に記載の装置。
【発明の詳細な説明】
【技術分野】
【０００１】
相互参照
本特許出願は、各々が本出願の譲受人に譲渡された、2017年5月19日に出願された「Uplink Semi-Persistent Scheduling For Low Latency Communications」と題する、Sunらによる米国特許出願第15/599,744号、および2016年8月12日に出願された「Uplink Semi-Persistent Scheduling For Low Latency Communications」と題する、Sunらによる米国仮特許出願第62/374,679号の優先権を主張する。
【０００２】
以下は、全般にワイヤレス通信に関し、より具体的には、半永続スケジューリング(SPS)およびハイブリッド自動再送要求(HARQ)フィードバックに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、Long Term Evolution(LTE)システム)がある。ワイヤレス多元接続通信システムは、場合によってはユーザ機器(UE)として知られることがある複数の通信デバイスのための通信を各々が同時にサポートする、いくつかの基地局を含み得る。
【０００４】
基地局は、確保されたSPSリソース上である周期でアップリンクメッセージを送信するようにUEをスケジューリングすることによって、SPSアップリンク通信のためにUEを構成することができる。アップリンクメッセージの1つまたは複数が基地局によって受信されず、または復号に成功しない場合、UEはアップリンクメッセージを再送信することを試み得る。SPS通信スケジュールとアップリンク送信との間の協調が欠けている場合、アップリンクメッセージの再送信が基地局と他のUEとの間の通信と干渉することがある。
【発明の概要】
【課題を解決するための手段】
【０００５】
本開示の態様は、ハイブリッド自動再送要求(HARQ)フィードバックタイミングを用いて半永続スケジューリング(SPS)アップリンクメッセージの再送信を協調させるための、スケジューリング方式を含む。いくつかの例では、SPSリソースは、HARQフィードバックに応答したSPSアップリンクメッセージの再送信がSPS通信のために確保されるリソースの間に発生するように、HARQフィードバックと揃うようにスケジューリングされ得る。他の例では、HARQフィードバックタイミングは、SPS通信のために割り振られたリソースの間に発生するようにHARQフィードバックがSPSアップリンク再送信を惹起するように、SPSアップリンクリソースの周期に従って調整され得る。スケジューリング協調に加えて、またはその代わりに、ユーザ機器(UE)が、SPS送信のために指定されたリソース上でアップリンクメッセージを再送信し、SPS送信のために指定されていないリソース上でアップリンクメッセージを再送信するのを控えるように構成され得る。態様はまた、受信機におけるパケットロスを減らすために、増分的冗長性(incremental redundancy)HARQフィードバックを使用することを含む。場合によっては、アップリンクメッセージを受信する基地局は、アップリンクメッセージの冗長バージョンID(RVID)に関する異なる仮定に基づく複数のプロセスを使用してメッセージを復号し得る。
【０００６】
ワイヤレス通信の方法が説明される。方法は、HARQプロセスタイミングを特定するステップと、SPSアップリンク送信のために指定された送信時間間隔(TTI)間の時間長を特定するステップと、SPSアップリンク送信のためのキャリアを構成するステップであって、SPSアップリンク送信のスケジュールが、HARQプロセスタイミングと、SPSアップリンク送信のために指定されたTTI間の時間長とに少なくとも一部基づく、ステップと、キャリア構成およびSPSアップリンク送信のスケジュールを示すシグナリングを送信するステップとを含み得る。
【０００７】
ワイヤレス通信のための装置が説明される。装置は、HARQプロセスタイミングを特定するための手段と、SPSアップリンク送信のために指定されたTTI間の時間長を特定するための手段と、SPSアップリンク送信のためのキャリアを構成するための手段であって、SPSアップリンク送信のスケジュールが、HARQプロセスタイミングと、SPSアップリンク送信のために指定されたTTI間の時間長とに少なくとも一部基づく、手段と、キャリア構成およびSPSアップリンク送信のスケジュールを示すシグナリングを送信するための手段とを含み得る。
【０００８】
ワイヤレス通信のための別の装置が説明される。装置は、プロセッサと、プロセッサと電気的に通信しているメモリと、メモリに記憶された命令とを含み得る。命令は、装置に、HARQプロセスタイミングを特定させ、SPSアップリンク送信のために指定されたTTI間の時間長を特定させ、SPSアップリンク送信のためのキャリアを構成させ、SPSアップリンク送信のスケジュールが、HARQプロセスタイミングと、SPSアップリンク送信のために指定されたTTI間の時間長とに少なくとも一部基づき、キャリア構成およびSPSアップリンク送信のスケジュールを示すシグナリングを送信させるように動作可能であり得る。
【０００９】
ワイヤレス通信のための非一時的コンピュータ可読媒体が説明される。非一時的コンピュータ可読媒体は、HARQプロセスタイミングを特定し、SPSアップリンク送信のために指定されたTTI間の時間長を特定し、SPSアップリンク送信のためのキャリアを構成し、SPSアップリンク送信のスケジュールが、HARQプロセスタイミングと、SPSアップリンク送信のために指定されたTTI間の時間長とに少なくとも一部基づき、キャリア構成およびSPSアップリンク送信のスケジュールを示すシグナリングを送信するように動作可能な命令を含み得る。
【００１０】
上で説明された方法、装置、および非一時的コンピュータ可読媒体のいくつかの例はさらに、スケジュールに従ってSPSアップリンク送信のために指定された第1のTTIの間にアップリンクメッセージを受信するためのプロセス、特徴、手段、または命令を含み得る。上で説明された方法、装置、および非一時的コンピュータ可読媒体のいくつかの例はさらに、SPSアップリンク送信のために指定された第2のTTI上でアップリンクメッセージの再送信を受信するためのプロセス、特徴、手段、または命令を含むことがあり、再送信のタイミングは、スケジュールおよびHARQプロセスタイミングに少なくとも一部基づくことがある。
【００１１】
上で説明された方法、装置、および非一時的コンピュータ可読媒体のいくつかの例はさらに、HARQプロセスタイミングに少なくとも一部基づいてSPSアップリンク送信のために指定されたTTI間の時間長を構成するためのプロセス、特徴、手段、または命令を含み得る。上で説明された方法、装置、および非一時的コンピュータ可読媒体のいくつかの例では、SPSアップリンク送信のために指定されたTTI間の時間長は、SPSアップリンク送信のために指定されたTTIの間のHARQプロセスタイミングに従ってアップリンクメッセージの再送信をサポートするように構成され得る。
【００１２】
上で説明された方法、装置、および非一時的コンピュータ可読媒体のいくつかの例では、HARQプロセスタイミングは送信と再送信との間に8TTIの時間長を備える。上で説明された方法、装置、および非一時的コンピュータ可読媒体のいくつかの例はさらに、SPSアップリンク送信のために指定されたTTI間の時間長に少なくとも一部基づいてHARQプロセスタイミングを構成するためのプロセス、特徴、手段、または命令を含み得る。
【００１３】
上で説明された方法、装置、および非一時的コンピュータ可読媒体のいくつかの例では、SPSアップリンク送信のために指定されたTTI間の時間長は、SPSアップリンク送信のために指定されたTTIの間のHARQプロセスタイミングに従ってアップリンクメッセージの再送信をサポートするように構成され得る。上で説明された方法、装置、および非一時的コンピュータ可読媒体のいくつかの例では、SPSアップリンク送信のために指定されたTTI間の時間長は10TTIの時間長を備える。上で説明された方法、装置、および非一時的コンピュータ可読媒体のいくつかの例はさらに、SPSアップリンク送信以外のアップリンク送信のために第2のHARQプロセスタイミングを構成するためのプロセス、特徴、手段、または命令を含み得る。
【００１４】
ワイヤレス通信の方法が説明される。方法は、キャリアがSPSアップリンク送信のために構成されることを示すシグナリングを受信するステップであって、SPSアップリンク送信のスケジュールが、HARQプロセスタイミングと、SPSアップリンク送信のために指定されたTTI間の時間長とに少なくとも一部基づく、ステップと、このシグナリングに少なくとも一部基づいてSPSアップリンク送信のために指定されたTTI間の時間長を決定するステップと、SPSアップリンク送信のスケジュールおよびHARQプロセスタイミングに従って、SPSアップリンク送信のために指定されるTTIの間に基地局と通信するステップとを含み得る。
【００１５】
ワイヤレス通信のための装置が説明される。装置は、キャリアがSPSアップリンク送信のために構成されることを示すシグナリングを受信するための手段であって、SPSアップリンク送信のスケジュールが、HARQプロセスタイミングと、SPSアップリンク送信のために指定されたTTI間の時間長とに少なくとも一部基づく、手段と、このシグナリングに少なくとも一部基づいてSPSアップリンク送信のために指定されたTTI間の時間長を決定するための手段と、SPSアップリンク送信のスケジュールおよびHARQプロセスタイミングに従って、SPSアップリンク送信のために指定されるTTIの間に基地局と通信するための手段とを含み得る。
【００１６】
ワイヤレス通信のための別の装置が説明される。装置は、プロセッサと、プロセッサと電気的に通信しているメモリと、メモリに記憶された命令とを含み得る。命令は、装置に、キャリアがSPSアップリンク送信のために構成されることを示すシグナリングを受信させ、SPSアップリンク送信のスケジュールが、HARQプロセスタイミングと、SPSアップリンク送信のために指定されたTTI間の時間長とに少なくとも一部基づき、このシグナリングに少なくとも一部基づいてSPSアップリンク送信のために指定されたTTI間の時間長を決定させ、SPSアップリンク送信のスケジュールおよびHARQプロセスタイミングに従って、SPSアップリンク送信のために指定されるTTIの間に基地局と通信させるように動作可能であり得る。
【００１７】
ワイヤレス通信のための非一時的コンピュータ可読媒体が説明される。非一時的コンピュータ可読媒体は、キャリアがSPSアップリンク送信のために構成されることを示すシグナリングを受信し、SPSアップリンク送信のスケジュールが、HARQプロセスタイミングと、SPSアップリンク送信のために指定されたTTI間の時間長とに少なくとも一部基づき、このシグナリングに少なくとも一部基づいてSPSアップリンク送信のために指定されたTTI間の時間長を決定し、SPSアップリンク送信のスケジュールおよびHARQプロセスタイミングに従って、SPSアップリンク送信のために指定されるTTIの間に基地局と通信するように動作可能な命令を含み得る。
【００１８】
上で説明された方法、装置、および非一時的コンピュータ可読媒体のいくつかの例では、基地局と通信するステップは、スケジュールに従ってSPSアップリンク送信のために指定された第1のTTIの間にアップリンクメッセージを送信するステップを備える。上で説明された方法、装置、および非一時的コンピュータ可読媒体のいくつかの例はさらに、SPSアップリンク送信のために指定された第2のTTI上でアップリンクメッセージを再送信するためのプロセス、特徴、手段、または命令を含むことがあり、再送信のタイミングは、スケジュールおよびHARQプロセスタイミングに少なくとも一部基づくことがある。
【００１９】
上で説明された方法、装置、および非一時的コンピュータ可読媒体のいくつかの例はさらに、否定応答(NACK)を受信するためのプロセス、特徴、手段、または命令を含むことがあり、SPSアップリンク送信のために指定される第2のTTI上でアップリンクメッセージを再送信することは、NACKを受信したことに少なくとも一部基づくことがある。
【００２０】
ワイヤレス通信の方法が説明される。方法は、キャリアがSPSアップリンク送信のために構成されることを示すシグナリングを受信するステップであって、このシグナリングがSPSアップリンク送信のために指定された複数のTTIのスケジュールを示す、ステップと、SPSアップリンク送信のために指定された複数のTTIの第1のTTI上でアップリンクメッセージを送信するステップと、HARQプロセスタイミングに従ってHARQフィードバックのために指定されるダウンリンクTTIにおけるシグナリングの不在に少なくとも一部基づいて、アップリンクメッセージの復号が成功しなかったと決定するステップと、HARQプロセスタイミングに従って再送信のために指定される第1のアップリンクTTIにおいてアップリンクメッセージを再送信するのを控えるステップであって、SPSアップリンク送信のために指定される複数のTTIが第1のアップリンクTTIを含まない、ステップと、SPSアップリンク送信のために指定される複数のTTIの第2のアップリンクTTIにおいてアップリンクメッセージを再送信するステップとを含み得る。
【００２１】
ワイヤレス通信のための装置が説明される。装置は、キャリアがSPSアップリンク送信のために構成されることを示すシグナリングを受信するための手段であって、このシグナリングがSPSアップリンク送信のために指定された複数のTTIのスケジュールを示す、手段と、SPSアップリンク送信のために指定された複数のTTIの第1のTTI上でアップリンクメッセージを送信するための手段と、HARQプロセスタイミングに従ってHARQフィードバックのために指定されるダウンリンクTTIにおけるシグナリングの不在に少なくとも一部基づいて、アップリンクメッセージの復号が成功しなかったと決定するための手段と、HARQプロセスタイミングに従って再送信のために指定される第1のアップリンクTTIにおいてアップリンクメッセージを再送信するのを控えるための手段であって、SPSアップリンク送信のために指定される複数のTTIが第1のアップリンクTTIを含まない、手段と、SPSアップリンク送信のために指定される複数のTTIの第2のアップリンクTTIにおいてアップリンクメッセージを再送信するための手段とを含み得る。
【００２２】
ワイヤレス通信のための別の装置が説明される。装置は、プロセッサと、プロセッサと電気的に通信しているメモリと、メモリに記憶された命令とを含み得る。命令は、装置に、キャリアがSPSアップリンク送信のために構成されることを示すシグナリングを受信させ、このシグナリングがSPSアップリンク送信のために指定された複数のTTIのスケジュールを示し、SPSアップリンク送信のために指定された複数のTTIの第1のTTI上でアップリンクメッセージを送信させ、HARQプロセスタイミングに従ってHARQフィードバックのために指定されるダウンリンクTTIにおけるシグナリングの不在に少なくとも一部基づいて、アップリンクメッセージの復号が成功しなかったと決定させ、HARQプロセスタイミングに従って再送信のために指定される第1のアップリンクTTIにおいてアップリンクメッセージを再送信するのを控えさせ、SPSアップリンク送信のために指定される複数のTTIが第1のアップリンクTTIを含まず、SPSアップリンク送信のために指定される複数のTTIの第2のアップリンクTTIにおいてアップリンクメッセージを再送信させるように動作可能であり得る。
【００２３】
ワイヤレス通信のための非一時的コンピュータ可読媒体が説明される。非一時的コンピュータ可読媒体は、キャリアがSPSアップリンク送信のために構成されることを示すシグナリングを受信し、このシグナリングがSPSアップリンク送信のために指定された複数のTTIのスケジュールを示し、SPSアップリンク送信のために指定された複数のTTIの第1のTTI上でアップリンクメッセージを送信し、HARQプロセスタイミングに従ってHARQフィードバックのために指定されるダウンリンクTTIにおけるシグナリングの不在に少なくとも一部基づいて、アップリンクメッセージの復号が成功しなかったと決定し、HARQプロセスタイミングに従って再送信のために指定される第1のアップリンクTTIにおいてアップリンクメッセージを再送信するのを控え、SPSアップリンク送信のために指定される複数のTTIが第1のアップリンクTTIを含まず、SPSアップリンク送信のために指定される複数のTTIの第2のアップリンクTTIにおいてアップリンクメッセージを再送信するように動作可能な命令を含み得る。
【００２４】
ワイヤレス通信の方法が説明される。方法は、HARQプロセスタイミングを特定するステップと、SPSアップリンク送信のために指定された複数のTTIを用いてSPSアップリンク送信のためのキャリアを構成するステップと、SPSアップリンク送信のために指定される複数のTTIの第1のTTIの間に送信されるアップリンクメッセージの復号に成功しないステップと、SPSアップリンク送信のために指定される複数のTTIの第2のTTIの間にアップリンクメッセージの再送信を受信するステップとを含むことがあり、キャリアは、SPSアップリンク送信のために指定される複数のTTIの第2のTTIに先行する第1のアップリンクTTIを用いて構成され、第1のアップリンクTTIは、HARQプロセスタイミングに従ってアップリンクメッセージの再送信のために指定される。
【００２５】
ワイヤレス通信のための装置が説明される。装置は、HARQプロセスタイミングを特定するための手段と、SPSアップリンク送信のために指定された複数のTTIを用いてSPSアップリンク送信のためのキャリアを構成するための手段と、SPSアップリンク送信のために指定される複数のTTIの第1のTTIの間に送信されるアップリンクメッセージの復号に成功しないための手段と、SPSアップリンク送信のために指定される複数のTTIの第2のTTIの間にアップリンクメッセージの再送信を受信するための手段とを含むことがあり、キャリアは、SPSアップリンク送信のために指定される複数のTTIの第2のTTIに先行する第1のアップリンクTTIを用いて構成され、第1のアップリンクTTIは、HARQプロセスタイミングに従ってアップリンクメッセージの再送信のために指定される。
【００２６】
ワイヤレス通信のための別の装置が説明される。装置は、プロセッサと、プロセッサと電気的に通信しているメモリと、メモリに記憶された命令とを含み得る。命令は、装置に、HARQプロセスタイミングを特定させ、SPSアップリンク送信のために指定された複数のTTIを用いてSPSアップリンク送信のためのキャリアを構成させ、SPSアップリンク送信のために指定される複数のTTIの第1のTTIの間に送信されるアップリンクメッセージの復号を成功させず、SPSアップリンク送信のために指定される複数のTTIの第2のTTIの間にアップリンクメッセージの再送信を受信させるように動作可能であることがあり、キャリアは、SPSアップリンク送信のために指定される複数のTTIの第2のTTIに先行する第1のアップリンクTTIを用いて構成され、第1のアップリンクTTIは、HARQプロセスタイミングに従ってアップリンクメッセージの再送信のために指定される。
【００２７】
ワイヤレス通信のための非一時的コンピュータ可読媒体が説明される。非一時的コンピュータ可読媒体は、HARQプロセスタイミングを特定し、SPSアップリンク送信のために指定された複数のTTIを用いてSPSアップリンク送信のためのキャリアを構成し、SPSアップリンク送信のために指定される複数のTTIの第1のTTIの間に送信されるアップリンクメッセージの復号に成功せず、SPSアップリンク送信のために指定される複数のTTIの第2のTTIの間にアップリンクメッセージの再送信を受信するように動作可能な命令を含むことがあり、キャリアは、SPSアップリンク送信のために指定される複数のTTIの第2のTTIに先行する第1のアップリンクTTIを用いて構成され、第1のアップリンクTTIは、HARQプロセスタイミングに従ってアップリンクメッセージの再送信のために指定される。
【００２８】
上で説明された方法、装置、および非一時的コンピュータ可読媒体のいくつかの例はさらに、SPSアップリンク送信のために指定された複数のTTIの第1のTTIの間に送信されるアップリンクメッセージの復号に成功しないためのプロセス、特徴、手段、または命令を含み得る。
【００２９】
ワイヤレス通信の方法が説明される。方法は、SPSアップリンク送信のためのキャリアを構成するステップと、SPSアップリンク送信のために指定されるTTIの間にアップリンクメッセージを受信するステップと、アップリンクメッセージがアップリンクメッセージの第1の送信であるという仮定に少なくとも一部基づく第1の動作に従ってアップリンクメッセージを復号するステップと、アップリンクメッセージがアップリンクメッセージの第2の送信であるという仮定に少なくとも一部基づく第2の動作に従ってアップリンクメッセージを復号するステップとを含むことがあり、第2の動作は、アップリンクメッセージを、アップリンクメッセージの前の所定の数のTTIにおいて受信される少なくとも1つの以前のアップリンクメッセージと合成することを備える。
【００３０】
ワイヤレス通信のための装置が説明される。装置は、SPSアップリンク送信のためのキャリアを構成するための手段と、SPSアップリンク送信のために指定されるTTIの間にアップリンクメッセージを受信するための手段と、アップリンクメッセージがアップリンクメッセージの第1の送信であるという仮定に少なくとも一部基づく第1の動作に従ってアップリンクメッセージを復号するための手段と、アップリンクメッセージがアップリンクメッセージの第2の送信であるという仮定に少なくとも一部基づく第2の動作に従ってアップリンクメッセージを復号するための手段とを含むことがあり、第2の動作は、アップリンクメッセージを、アップリンクメッセージの前の所定の数のTTIにおいて受信される少なくとも1つの以前のアップリンクメッセージと合成することを備える。
【００３１】
ワイヤレス通信のための別の装置が説明される。装置は、プロセッサと、プロセッサと電気的に通信しているメモリと、メモリに記憶された命令とを含み得る。命令は、装置に、SPSアップリンク送信のためのキャリアを構成させ、SPSアップリンク送信のために指定されるTTIの間にアップリンクメッセージを受信させ、アップリンクメッセージがアップリンクメッセージの第1の送信であるという仮定に少なくとも一部基づく第1の動作に従ってアップリンクメッセージを復号させ、アップリンクメッセージがアップリンクメッセージの第2の送信であるという仮定に少なくとも一部基づく第2の動作に従ってアップリンクメッセージを復号させるように動作可能であることがあり、第2の動作は、アップリンクメッセージを、アップリンクメッセージの前の所定の数のTTIにおいて受信される少なくとも1つの以前のアップリンクメッセージと合成することを備える。
【００３２】
ワイヤレス通信のための非一時的コンピュータ可読媒体が説明される。非一時的コンピュータ可読媒体は、SPSアップリンク送信のためのキャリアを構成し、SPSアップリンク送信のために指定されるTTIの間にアップリンクメッセージを受信し、アップリンクメッセージがアップリンクメッセージの第1の送信であるという仮定に少なくとも一部基づく第1の動作に従ってアップリンクメッセージを復号し、アップリンクメッセージがアップリンクメッセージの第2の送信であるという仮定に少なくとも一部基づく第2の動作に従ってアップリンクメッセージを復号するように動作可能な命令を含むことがあり、第2の動作は、アップリンクメッセージを、アップリンクメッセージの前の所定の数のTTIにおいて受信される少なくとも1つの以前のアップリンクメッセージと合成することを備える。
【００３３】
上で説明された方法、装置、および非一時的コンピュータ可読媒体のいくつかの例はさらに、アップリンクメッセージがアップリンクメッセージの第3の送信であり得るという仮定に少なくとも一部基づき得る第3の動作に従ってアップリンクメッセージを復号するためのプロセス、特徴、手段、または命令を含むことがあり、第3の動作は、アップリンクメッセージを、アップリンクメッセージの前の所定の数のTTIにおいて各々受信される少なくとも2つの以前のアップリンクメッセージと合成することを備える。
【００３４】
上で説明された方法、装置、および非一時的コンピュータ可読媒体のいくつかの例はさらに、アップリンクメッセージがアップリンクメッセージの第4の送信であり得るという仮定に少なくとも一部基づき得る第4の動作に従ってアップリンクメッセージを復号するためのプロセス、特徴、手段、または命令を含むことがあり、第4の動作は、アップリンクメッセージを、アップリンクメッセージの前の所定の数のTTIにおいて各々受信される少なくとも3つの以前のアップリンクメッセージと合成することを備える。
【００３５】
上で説明された方法、装置、および非一時的コンピュータ可読媒体のいくつかの例では、所定の数のTTIは8の倍数個のTTIを備える。上で説明された方法、装置、および非一時的コンピュータ可読媒体のいくつかの例はさらに、第1の動作に従ってアップリンクメッセージを復号し第2の動作に従ってアップリンクメッセージを復号したことに少なくとも一部基づいて、アップリンクメッセージのHARQプロセスの冗長バージョンを決定するためのプロセス、特徴、手段、または命令を含み得る。
【図面の簡単な説明】
【００３６】
【図１】本開示の態様による、低レイテンシ強化のためのアップリンク半永続スケジューリング(SPS)をサポートするワイヤレス通信のためのシステムの例を示す図である。
【図２】本開示の態様による、低レイテンシ強化のためのアップリンクSPSをサポートするワイヤレス通信のためのシステムの別の例を示す図である。
【図３Ａ】本開示の態様による、低レイテンシ強化のためのアップリンクSPSをサポートするSPSアップリンク送信スケジューリングの例を示す図である。
【図３Ｂ】本開示の態様による、低レイテンシ強化のためのアップリンクSPSをサポートするSPSアップリンク送信スケジューリングの例を示す図である。
【図３Ｃ】本開示の態様による、低レイテンシ強化のためのアップリンクSPSをサポートするSPSアップリンク送信スケジューリングの例を示す図である。
【図４】本開示の態様による、低レイテンシ強化のためのアップリンクSPSをサポートする増分的冗長性復号の例を示す図である。
【図５】本開示の態様による、低レイテンシ強化のためのアップリンクSPSをサポートするプロセスフローの例を示す図である。
【図６】本開示の態様による、低レイテンシ強化のためのアップリンクSPSをサポートするプロセスフローの例を示す図である。
【図７】本開示の態様による、低レイテンシ強化のためのアップリンクSPSをサポートするプロセスフローの例を示す図である。
【図８】本開示の態様による、低レイテンシ強化のためのアップリンクSPSをサポートするデバイスのブロック図である。
【図９】本開示の態様による、低レイテンシ強化のためのアップリンクSPSをサポートするデバイスのブロック図である。
【図１０】本開示の態様による、低レイテンシ強化のためのアップリンクSPSをサポートするデバイスのブロック図である。
【図１１】本開示の態様による、低レイテンシ強化のためのアップリンクSPSをサポートする基地局を含むシステムのブロック図である。
【図１２】本開示の態様による、低レイテンシ強化のためのアップリンクSPSをサポートするデバイスのブロック図である。
【図１３】本開示の態様による、低レイテンシ強化のためのアップリンクSPSをサポートするデバイスのブロック図である。
【図１４】本開示の態様による、低レイテンシ強化のためのアップリンクSPSをサポートするデバイスのブロック図である。
【図１５】本開示の態様による、低レイテンシ強化のためのアップリンクSPSをサポートするユーザ機器(UE)を含むシステムの図である。
【図１６】本開示の態様による、低レイテンシ強化のためのアップリンクSPSの方法を示す図である。
【図１７】本開示の態様による、低レイテンシ強化のためのアップリンクSPSの方法を示す図である。
【図１８】本開示の態様による、低レイテンシ強化のためのアップリンクSPSの方法を示す図である。
【図１９】本開示の態様による、低レイテンシ強化のためのアップリンクSPSの方法を示す図である。
【図２０】本開示の態様による、低レイテンシ強化のためのアップリンクSPSの方法を示す図である。
【発明を実施するための形態】
【００３７】
ワイヤレス通信ネットワークは、アップリンク通信のための半永続スケジューリング(SPS)をサポートすることがある。たとえば、基地局は、ある設定された周期(たとえば、20ms)で確保されるリソース上でアップリンクメッセージを送信するようにユーザ機器(UE)をスケジューリングすることがある。場合によっては、UEは、基地局によって復号されなかったアップリンクメッセージを再送信することを試みることがある。アップリンクスケジューリング方式は、SPS通信のために確保されたリソースの間に再送信が発生するように、アップリンクメッセージの再送信をハイブリッド自動再送要求(HARQ)フィードバックタイミングと協調させるために使用され得る。加えて、または代わりに、UEは、他のアップリンクリソースが再送信に利用可能であっても、SPS通信のために確保されるもの以外のリソース上でアップリンクメッセージを再送信するのを控えることがある。これらのアップリンクスケジューリング方式およびUE送信構成は、ワイヤレスネットワークにおいてレイテンシ低減技法をサポートしながら、基地局において干渉を生み出す再送信のインスタンスを減らすことができる。
【００３８】
場合によっては、SPSアップリンク再送信のスケジュールは、HARQプロセスタイミングと揃うように構成される。たとえば、SPSアップリンク送信のために確保される送信時間間隔(TTI)間の時間長は、HARQフィードバックに応答したSPSアップリンク再送信がSPSアップリンク送信のために確保されるTTIの間に発生するように構成され得る。代わりに、通信リンクのためのHARQフィードバックタイミングは、SPS TTIとSPS TTIとの間の時間長と揃うように構成され得る。場合によっては、UEは、SPS通信リンクのために構成されるHARQフィードバックタイミングに従ってアップリンクSPSメッセージを送信することがあるが、異なるHARQフィードバックタイミングに従って非SPSメッセージも送信することがある。
【００３９】
UEは、SPS通信スケジュールに基づいていくつかのリソース上でアップリンクメッセージを再送信するのを控えるように構成され得る。たとえば、アップリンクメッセージを再送信することを試みるUEは、SPSアップリンク通信のために割り振られないリソース上でメッセージを再送信するようにスケジューリングされ得る。これらのリソース上でメッセージを再送信する代わりに、UEは、SPSアップリンク通信のために割り振られるリソース上でメッセージを再送信するのを待機することができる。
【００４０】
SPS通信をサポートするワイヤレス通信ネットワークは、増分的冗長性(IR)HARQフィードバック方式をサポートすることもできる。場合によっては、各々の受信されたアップリンクメッセージがそのメッセージの第1の送信であると仮定する代わりに、基地局は、アップリンクメッセージの冗長バージョンID(RVID)についての1つまたは複数の仮定に基づいてアップリンクメッセージを復号することがある。これらの仮定に基づいて、基地局は、基地局におけるメッセージの受信されたエネルギーの増大を実現するために、アップリンクメッセージを1つまたは複数の以前のアップリンクメッセージと合成することができる。
【００４１】
上で紹介された本開示の態様は、以下で例示的なワイヤレス通信システムの文脈において説明される。SPSスケジューリングおよびHARQプロセスタイミング方式の例が説明される。加えて、複数のRVID仮定に基づくアップリンクメッセージ復号の例が説明される。本開示の態様は、低レイテンシ強化のためのアップリンクSPSに関する装置図、システム図、およびフローチャートによってさらに示され、それらを参照して説明される。
【００４２】
図1は、本開示の様々な態様によるワイヤレス通信システム100の例を示す。ワイヤレス通信システム100は、基地局105と、UE115と、コアネットワーク130とを含む。いくつかの例では、ワイヤレス通信システム100は、LTE(または、LTE-Advanced)ネットワークであり得る。ワイヤレス通信システム100は、基地局105とUE115との間のSPS通信をサポートし得る。基地局105またはUE115は、SPSアップリンク送信のために確保されたリソース上でアップリンクメッセージを再送信するように構成され得る。
【００４３】
基地局105は、1つまたは複数の基地局アンテナを介してUE115とワイヤレスに通信し得る。各基地局105は、それぞれの地理的カバレッジエリア110に通信カバレッジを提供し得る。ワイヤレス通信システム100に示されている通信リンク125は、UE115から基地局105へのアップリンク送信、または基地局105からUE115へのダウンリンク送信を含み得る。UE115は、ワイヤレス通信システム100全体にわたって分散されることがあり、各UE115は固定式または移動式であることがある。
【００４４】
UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレス電話、個人向け電子デバイス、ハンドヘルドデバイス、パーソナルコンピュータ、ワイヤレスローカルループ(WLL)局、Internet of things(IoT)デバイス、Internet of Everything(IoE)デバイス、マシンタイプ通信(MTC)デバイス、家電機器、自動車などであり得る。
【００４５】
基地局105は、コアネットワーク130と、また互いに通信し得る。たとえば、基地局105は、バックホールリンク132(たとえば、S1など)を通じてコアネットワーク130とインターフェースし得る。基地局105は、バックホールリンク134(たとえば、X2など)を通じて直接、または間接的に(たとえば、コアネットワーク130を通じて)のいずれかで、互いに通信し得る。基地局105は、UE115との通信のための無線構成およびスケジューリングを実行することができ、または基地局コントローラ(図示せず)の制御下で動作することができる。いくつかの例では、基地局105は、マクロセル、スモールセル、ホットスポットなどであり得る。基地局105は、eNodeB(eNB)105と呼ばれることもある。
【００４６】
HARQは、ワイヤレス通信リンク125上でパケットロスの減少およびスループットの増大をもたらし得る誤り管理技法である。HARQは、誤り検出(たとえば、CRCを使用した)、前方誤り訂正(FEC)、および再送信(たとえば、自動再送要求(ARQ))の組合せを含み得る。HARQは、劣悪な無線条件(たとえば、信号対雑音条件)での媒体アクセス制御(MAC)レイヤにおけるスループットを改善し得る。IR HARQでは、誤って受信されたデータがバッファに記憶され、データの復号に成功する全体的な確率を改善するために後続の送信と合成され得る。場合によっては、冗長ビットが送信前に各メッセージに追加される。これは、劣悪な条件において有用であり得る。他の場合には、冗長ビットは、各送信に追加されず、情報を復号しようとする試みの失敗を示す否定応答(NACK)を元のメッセージの送信機が受信した後に再送信される。送信、応答、および再送信の連鎖は、HARQプロセスと呼ばれ得る。場合によっては、限られた数のHARQプロセスが、所与の通信リンク125のために使用され得る。
【００４７】
ワイヤレス通信システム100は、UE115へのリソースの動的なスケジューリングをサポートし得る。リソースの動的なスケジューリングは、後続のアップリンクデータ送信に対するリソースの各々の割当てのために、アップリンクグラントをUE115に送信することを伴い得る。いくつかの例では、基地局105は、物理ダウンリンク制御チャネル(PDCCH)または物理ダウンリンク共有チャネル(PDSCH)を使用してグラントを送信することがある。グラントに含まれるリソース割当ては、TTIまたはTTIの一部分、および後続のデータ送信と関連付けられる無線周波数の範囲などの、時間および周波数リソースを示すことがある。リソースの動的なスケジューリングは、UE115にリソースを割り当てるときの柔軟性の向上を可能にし得る。しかしながら、リソースの動的な割振りは、基地局105が同じリソースをUE115へ定期的に割り振る(たとえば、ボイスオーバーインターネットプロトコル(VoIP)送信のために)場合には、追加のオーバーヘッドを引き起こすことがある。
【００４８】
ワイヤレス通信システム100は、UE115と基地局105との間のSPS通信をサポートすることがあり、これは、シグナリングのオーバーヘッドを減らし、繰り返されるリソースグラントを必要とすることなくアップリンク(またはいくつかの場合にはダウンリンク)送信の準備を可能にすることがある。SPSは、現在の送信および複数の未来の送信のために特定のリソース(たとえば、物理アップリンク共有チャネル(PUSCH)上のリソース)をUE115にスケジューリングすることを伴うことがある。基地局105は、UE115に割り振られるリソースおよびリソース割振りの周期を示すことによって、SPSのためにUE115を構成することができる。たとえば、基地局105は、UE115からのSPSアップリンク送信のために、特定のTTI(たとえば、SPS TTI)上の周波数リソースを指定することができる。SPS構成は、(たとえば、SPS-configメッセージの中の)無線リソース制御(RRC)シグナリングを使用して基地局105によって示され得る。特定のUE115のためのSPSをアクティブ化するために、基地局105はスケジューリングコマンドまたはスケジューリンググラントをUE115に送信することができる。
【００４９】
場合によっては、リソース割振りの周期は、SPSアップリンク送信のために指定されるTTI間の時間長によって定義され得る。たとえば、基地局105は、10TTIごとにアップリンクメッセージを送信するようにUE115をスケジューリングし得る。SPS割振りを使用することによって、基地局105は、予測可能なレートで発生するデータ通信のための繰り返されるアップリンクグラント送信と関連付けられるオーバーヘッドを避けることができる。いくつかの例では、リソースブロック(RB)割当て、変調およびコーディング方式(MCS)などは、割り振られるSPSリソースを使用するすべてのアップリンク送信に対して同様であり得る。さらに、ワイヤレス通信システム100は、UE115が割り振られたリソースを使用することに繰り返し失敗するとき(たとえば、UE115が送信すべきデータをある期間有しないとき)、SPS構成を解放するための技法をサポートすることができる。
【００５０】
場合によっては、SPSリソース割振りの周期は、10ms以上(たとえば、10ms、20ms、40ms、80ms)であり得る。UE115は、アップリンクSPSリソースを使用してデータまたは制御パケットを送信することによって、基地局105と通信するためにこれらのリソースを使用することができる。たとえば、UE115は、VoIPサービスを使用するときに予測可能なレートで基地局105にパケットを送信することができる。いくつかの例では、UE115がSPSアップリンク送信のためにスケジューリングされることがあるが、UE115が送信すべきデータを有しないことがある。したがって、UE115は、0がパディングされたパケットを基地局105に送信することがある。0がパディングされたパケットの送信は、UE115のためにSPS構成をいつ取り消すかを基地局105が決定することを可能にし得る。たとえば、閾値の数の0がパディングされたパケットを連続して受信した後で、基地局105は、SPSリソースを解放することによってUE115のためのSPS構成を取り消すことができる。加えて、基地局105は各SPS TTI上でアップリンクメッセージを常に期待しているので、0がパディングされたパケットの送信は、干渉などが原因でいつパケットが受信されなかったかを基地局105が決定することを可能にし得る。
【００５１】
いくつかの例では、基地局105が、0がパディングされたパケットまたはデータパケットを受信しない場合、基地局105はNACKメッセージをUE115に送信することがある。NACKを送信することによって、基地局105は、後続のサブフレーム(たとえば、NACKを送信してから4サブフレーム後)においてパケットを再送信するようにUE115にリソースを暗黙的に割り振ることができる。場合によっては、暗黙的に割り振られたリソースがSPSリソースと重複する場合、メッセージのメッセージ再送信が脱落することがあり、UE115は代わりに新しいデータを伴うパケットを送信することがある。すなわち、場合によっては、再送信がSPS TTIの間に発生するようにスケジューリングされている場合、新しいデータの送信がデータの再送信より優先される。他の場合、暗黙的に割り振られたリソースがSPSリソースと重複する場合、新しいデータを伴うパケットが脱落することがあり、UE115は代わりに以前に送信されたパケットを再送信することがある。新しいデータ送信または再送信の優先順位付けは、SPS割振りの周期に基づくことがある。暗黙的に割り振られるリソースがSPSリソースと重複しない場合、UE115は、暗黙的に割り振られたリソースを使用して以前に送信されたパケットを再送信することができる。
【００５２】
たとえば、UE115は、サブフレームN上でSPSリソースを使用してデータを送信することがある。基地局105は次いで、たとえばサブフレームN+4上で、データを受信してHARQメッセージ(たとえば、ACKまたはNACK)をUE115に送信することがある。場合によっては、HARQメッセージはACKを含むことがあり、UE115は、最初の送信の基地局105による受信が成功したので、データを再送信するのを控えることがある。代わりに、HARQメッセージはNACKを含むことがあり、UE115はたとえば、サブフレームN+8でデータを再送信することがある。基地局105がNACKを送信し、サブフレームN+8がSPSサブフレームと重複する場合、UE115は、所定の構成に応じて再送信または新しいデータ送信を優先順位付けることができる。基地局105がNACKを送信し、サブフレームN+8がSPSサブフレームと重複しない場合、UE115は、暗黙的に割り振られたリソースを使用してデータを再送信することができる。
【００５３】
場合によっては、より少ないレイテンシの適用例をサポートするために、ワイヤレス通信システム100は、基地局105と定期的に通信するためのより多くのリソースをUE115に提供するために、より短いSPS周期をサポートすることがある。加えて、より短い周期はより少ないレイテンシをもたらすことがあり、それはUE115がパケットを基地局105へより頻繁に送信できるからである。
【００５４】
ワイヤレス通信システム100は、低レイテンシの適用例および技法をサポートするために、SPSリソース割振りのより短い周期(たとえば、1msまたは0.5ms)をサポートすることがある。利用可能なSPSアップリンクリソースの頻度の増大が原因で、あらゆる所与のアップリンクSPS TTIに対して、UE115が送信すべきデータを有しないことがある可能性がより高くなる。そのような場合、0がパディングされたパケットの頻繁な送信は、UE115における電力消費を増やし、他の送信との干渉の可能性を上げることがある。したがって、場合によっては、UE115は、UE115が特定のSPS TTIの間に送信すべきデータを有しないとき、0でパディングされたパケット(たとえば、SPS PUSCHのスキップ)を基地局105に送信するのを控えることがある。しかしながら、UE115が0でパディングされたパケットを送信するのを控えるとき、基地局105は、UE115がパケットを送信しなかったかどうか、または基地局105がUE115からの試行された送信を受信しなかったかどうかを決定することが可能ではないことがある。
【００５５】
したがって、いくつかの例では、基地局105は、UE115からデータ送信を受信しなかったと決定した後で、HARQメッセージを送信するのを控えるように構成され得る。この構成は、スキップされたSPSアップリンク送信に起因する不要に頻繁なNACKメッセージを防ぐことができる。基地局105がアップリンクメッセージを受信することに失敗した場合にはUE115はHARQフィードバックを受信しないことがあるので、UE115は、基地局105がHARQメッセージを送信するのを控えたと決定するように構成され得る。しかしながら、この決定はオーバーヘッドを増やすことがあり、場合によっては、この決定と関連付けられるいくらかの残余の誤りがあることがある。代わりに、基地局105がアップリンクメッセージを受信するのに失敗した後でNACKを送信しない場合、UE115は、HARQメッセージ(たとえば、消去されたHARQメッセージ)を検出し、(たとえば、ACKまたはNACKを宣言する確率が等しい状態で)検出結果を任意に宣言することを試みることがある。たとえば、UE115はサブフレームNにおいてSPSリソースを使用してデータを送信することがある。基地局105は、データ送信を検出するのに失敗することがあるので、基地局105は、たとえばサブフレームN+4でHARQメッセージを送信しないことがある。UE115が消去されたHARQメッセージをACKとして復号するとき、UE115はデータを再送信するのを控えることがあり、以前に送信されたデータが失われることがある。
【００５６】
UE115が消去されたHARQメッセージをNACKとして復号し、再送信のための割り振られたリソースがSPSリソースと重複する場合、UE115はデータの再送信に成功し得る。UE115が消去されたHARQメッセージをNACKとして復号し、再送信のための割り振られたリソースがSPSリソースと重複しない場合、UE115はデータの再送信を試み得る。しかしながら、基地局105は、第1の送信を受信しなかった可能性があり、UE115が第1の送信を試みたと決定するように構成されないことがある。したがって、基地局105は再送信を受信することを予期しなかった可能性があり、基地局105はUE115へ暗黙的にリソースを割り振らなかった可能性がある。代わりに、基地局105は、それらのリソースを別のUE115に割り振った可能性がある。したがって、UE115による試行された再送信が、別のUE115からの試行された送信と干渉することがある。したがって、基地局105はこれらの送信を復号することが可能ではないことがあるので、両方の送信に含まれるデータが失われることがある。
【００５７】
代わりに、他の場合には、基地局105は、UE115からデータ送信を受信しなかったと決定した後で、NACKを送信するように構成され得る。SPS期間が短い場合、基地局105が1つ1つのデータ送信に応答してHARQメッセージを送信するのは非効率であり得る。しかしながら、SPSのためのHARQ送信にリソースが割り振られている場合、1つ1つのデータ送信に応答してHARQメッセージを送信しないことは非効率であり得る。いくつかの例では、UE115はサブフレームNにおいてSPSリソースを使用してデータを送信することがある。基地局105は、データ送信を検出するのに失敗することがあり、基地局105は、たとえばサブフレームN+4でNACKを送信することがある。UE115がデータを送信することを試みなかった可能性があると基地局105は考えるので、NACKを送信することにより暗黙的に割り振られるリソースはない。しかしながら、NACKを受信した後で、UE115は、リソースが再送信のために暗黙的に割り振られたと決定することができる。再送信のためのリソースがSPSリソースと重複する場合、UEはデータの再送信に成功し得る。代わりに、再送信のためのリソースがSPSリソースと重複しない場合、UE115によるデータの再送信は別のUE115からの送信と競合することがある。
【００５８】
したがって、場合によっては、ワイヤレス通信システム100は、複数のUE115が異なる送信に同じリソースを使用するのを防ぐための技法をサポートし得る。
【００５９】
さらに、再送信と関連付けられる誤り訂正方式は、正しいデータを決定するために以前の送信からの誤って受信されたデータが現在の送信からの誤って受信されたデータと合成される、ソフト合成をサポートし得る。いくつかの例では、ソフト合成は、各再送信が同じ情報を含み正しい送信を決定するために複数の送信が合成され得る、チェイス合成(CC:chase combining)を伴い得る。他の例では、ソフト合成は、各再送信が異なる情報を含み正しい送信を決定するために複数の送信が合成され得る、増分的冗長性を伴い得る。IRをサポートするUE115は、各送信と関連付けられる冗長バージョン識別子(RVID)を使用して、以前に試みられた送信の数を示すことができる。
【００６０】
たとえば、RVID0は、送信がアップリンクメッセージの第1の送信であることを示すことがあり、RVID2は、送信がアップリンクメッセージの第1の再送信であることを示すことがある。RVIDシーケンスは0/2/3/1であり得る。基地局105は、以前に試みられた送信の数を決定するためにこの情報を使用することができる。基地局105は次いで、現在の送信を以前の送信と合成することができる。しかしながら、基地局105が以前の送信を受信することに失敗する場合、受信側の基地局105が現在の送信を以前の送信と合成しようとするとき、誤りが発生し得る。したがって、UE115は、送信が再送信であるかどうかとは無関係に、各送信が第1の送信であることを示すように構成され得る。言い換えると、基地局105が以前の送信を見逃した可能性があるので、UE115はすべての再送信に対して第1のバージョン(たとえば、RVID0)を示すことがある。
【００６１】
しかしながら、場合によっては、ワイヤレス通信システム100は、より少ない再送信で送信を正しく復号する可能性を高めるために、異なるRVIDを伴う増分的冗長性をサポートすることがある。
【００６２】
図2は、低レイテンシ通信のためのアップリンクSPSをサポートするワイヤレス通信システム200の例を示す。ワイヤレス通信システム200は、図1を参照して説明された対応するデバイスの例であり得る、基地局105-aおよびUE115-aを含み得る。基地局105-aは、SPS通信のためにUE115-aと基地局105-aとの間の通信リンク205(たとえば、キャリア)を構成し得る。SPS通信を構成することは、UE115-aがアップリンクリソースを送信するある周期で、ある数のリソース(たとえば、TTI)を確保することを含み得る。たとえば、基地局105-aは、SPSアップリンク通信のためにTTIグループ210からの1つまたは複数のTTIを確保し得る。図2に示される例では、TTI215はアップリンクSPS送信のために確保される。TTI220は基地局105-aからのHARQフィードバックのために確保され(たとえば、アップリンクメッセージから4TTI後)、TTI225もアップリンクSPS送信のために確保される。
【００６３】
ワイヤレス通信システム200は、SPSプロセスの効率を高めシステムのスループットを改善するための技法をサポートし得る。たとえば、基地局105-aは、非SPSリソース上でのアップリンク再送信を避けるために、SPSアップリンク送信スケジュールまたはHARQプロセスタイミングを調整し得る。他の例では、基地局105-aは、非SPSリソースを使用してデータを再送信するのを控えるようにUE115を構成することができる。SPSリソース割振りがUE115-aに対してあらかじめ決定され構成されているので、基地局105-aは、これらのリソースを他のUE115に割り振るのを控えることができる。ワイヤレス通信システム200はまた、増分的冗長性を実装することによってHARQプロセスの効率を高めるための技法をサポートし得る。
【００６４】
基地局105-aは、非SPSサブフレーム上でのアップリンクメッセージの再送信を避けるように、SPSリソースをスケジューリングし、またはHARQプロセスを構成することができる。場合によっては、基地局105-aは、HARQプロセスのタイミングに基づいて、UE115のためのSPSリソースをスケジューリングすることができる。いくつかの例では、基地局105-aは、第1の送信から4サブフレーム後に、UE115-aからの第1の送信(たとえば、TTI215上での)に応答してACKまたはNACKを(たとえば、TTI220上で)送信することができる。UE115-aは、4サブフレーム後にACKまたはNACKを受信し、復号し、処理することができる。したがって、HARQプロセスのターンアラウンドタイムは8サブフレーム(たとえば、TTIS)または8msであり得る。したがって、基地局105-aは、非SPSサブフレーム(たとえば、TTI215とTTI225との間の8TTI)上での再送信を避けるために、8msという周期でUE115のためのSPSリソースを割り振ることができる。代わりに、基地局105-aは、SPS周期に基づいてHARQプロセスのタイミングを調整することができる。
【００６５】
たとえば、SPS周期が10msである場合、基地局105-aは、HARQプロセスのターンアラウンドタイムが10サブフレームまたは10msであるように、HARQタイミングを調整することができる。場合によっては、上で提示された例は、SPS構成と関連付けられる様々な周期およびHARQプロセスに対する様々なタイミングに当てはまり得る。たとえば、HARQプロセスのターンアラウンドタイムが10msである場合、SPSアップリンク送信に専用のTTI間の時間長は5msに調整されることがあり、SPS構成の周期が10msである場合、HARQタイミングは、HARQプロセスのターンアラウンドタイムが20サブフレームまたは20msとなるように調整されることがある。
【００６６】
場合によっては、基地局105-aは、アップリンクメッセージが元々SPSサブフレーム上で送信された場合、非SPSサブフレーム上でアップリンクメッセージを再送信するのを控えるようにUE115-aを構成することができる。たとえば、UE115-aは、SPSサブフレームとして指定されるTTI(たとえば、TTI215)の間アップリンクメッセージを送信することができる。UE115-aは次いで、SPSサブフレームとして指定されないTTIの間に再送信が発生すると決定し得る。したがって、UE115-aはTTI220の間に受信されたHARQメッセージを復号することを試みないことがあり、UE115-aは非SPS TTIの間にアップリンクメッセージを再送信するのを控えることがある。場合によっては、基地局105-aはTTI215の間に元のアップリンク送信を受信しなかった可能性があり、基地局105-aはUE115-aが送信すべきデータを有しなかったと考えることがある。したがって、基地局105-aは、UE115-a(たとえば、非SPS TTI)から別のUE115への再送信のために割り当てられたリソースを割り当て直すことができる。しかしながら、UE115-aはTTI225の間送信を控えていたので、両方のUE115からの重複する送信は回避され得る。UE115-aからの再送信のタイミングがSPSリソースと重複する場合、UE115-aは新しいデータの送信より再送信を優先し得る。いくつかの例では、再送信を避けることによって、以前の送信に含まれるデータが失われることがある。しかしながら、この手法は複数のUE115が同じリソースを使用して送信することを防ぐことができ、別のUE115からの送信は成功し得る。
【００６７】
さらに、ワイヤレス通信システム200は、HARQプロセスの効率を高めるための技法をサポートし得る。たとえば、基地局105-aは、より少ない再送信でUE115-aからの送信を正しく復号する可能性を高めるために、複数の冗長バージョンをサポートし得る。いくつかの例では、送信の冗長バージョンは各再送信のためにインクリメントされ得る。したがって、基地局105は、現在の送信および以前の失敗した送信から正しい送信を決定するためにIR技法を使用し得る。しかしながら、場合によっては、基地局105-aは、メッセージの冗長バージョンを決定することが可能ではないことがある。したがって、基地局105-aは、メッセージの冗長バージョンに関するいくつかの異なる仮説を使用してアップリンクメッセージを復号するように構成され得る。
【００６８】
たとえば、基地局105-aは、アップリンクメッセージを受信することがあり、メッセージが元の送信であるか(たとえばRVID0)、第1の再送信であるか(たとえばRVID2)、第2の再送信であるか(たとえばRVID3)、または第3の再送信であるか(たとえばRVID1)を決定することが可能ではないことがある。場合によっては、基地局105-aは、メッセージのRVIDに関する異なる仮定を使用してメッセージを複数回復号することを試み得る。たとえば、基地局105-aは、メッセージがメッセージの第1の送信であったとまず仮定し、そのメッセージをいずれの以前に送信されたメッセージとも合成せずに復号することを試み得る。基地局105-aがメッセージを復号できない場合、基地局105-aは次いで、メッセージがメッセージの第1の再送信であると仮定することができ、次いで、たとえば8サブフレーム前に受信された以前の送信とこの送信を合成することを試み得る。
【００６９】
基地局105-aがそれでもメッセージを復号できない場合、基地局105-aは、メッセージがメッセージの第2の再送信であったと仮定することができ、たとえば16サブフレーム前に受信された以前の送信およびたとえば8サブフレーム前に受信された以前の送信とこの送信を合成することを試み得る。
【００７０】
基地局105-aがそれでもメッセージを復号できない場合、基地局105-aは、メッセージがメッセージの第3の再送信であったと仮定することができ、たとえば24サブフレーム前に受信された以前の送信、たとえば16サブフレーム前に受信された以前の送信およびたとえば8サブフレーム前に受信された以前の送信とこの送信を合成することを試み得る。基地局105-aは、復号プロセスを直列または並列に実行することができる。
【００７１】
場合によっては、冗長バージョンが各再送信のためにインクリメントされない場合、基地局105-aは、現在の送信を(たとえば、現在のサブフレームより前の8の倍数個のサブフレーム)以前のサブフレームにおいて受信された送信と合成することを試み得る。しかしながら、冗長バージョンがインクリメントされない場合、誤り訂正方式は、チェイス合成と関連付けられる利得からは利益を得ることができるが、IRと関連付けられる利得からは利益を得ることができない。
【００７２】
図3A〜図3Cは、低レイテンシ通信のためのアップリンクSPSをサポートするスケジューリング技法300の例を示す。図3A〜図3Cの例では、スケジューリング技法は、再送信のタイミングをSPSアップリンク送信に割り振られるリソースと揃えるために使用され得る。
【００７３】
図3Aは、SPSアップリンク送信のためにスケジューリングされるリソースとHARQタイミングに従ってデータを再送信するために使用されるリソースとの不整合の例を示す。たとえば、第1のUE115は、第1のTTI305-aの間にデータを基地局105に送信することができる。場合によっては、第1のTTI305-aはSPSアップリンク送信のために指定され得る。続いて、基地局105は、送信の復号に成功しないことがあり、または送信を完全に見逃すことがある。基地局105は次いで、送信の復号が成功しなかったことまたは送信が受信されなかったことを示すNACKを第2のTTI310-aにおいて送信することができる。したがって、第1のUE115は、SPSアップリンク送信のために指定されないことがある第3のTTI315-aの間に、データを再送信することを試みることができる。基地局105が第1のTTI305-aの間に初期送信を受信しなかった場合、基地局105は第3のTTI315-aにおけるリソースを第2のUE115に割り振った可能性がある。したがって、第1のUE115からの再送信は同じリソースを使用して第2のUE115からの送信と干渉し得る。
【００７４】
図3Bは、SPSアップリンク送信のためにスケジューリングされるリソースとHARQタイミングに従ってデータを再送信するために使用されるリソースとの整合の例を示す。たとえば、SPSアップリンク送信のために指定されるTTI間の時間長は、HARQタイミングと揃うように構成され得る。いくつかの例では、第1のUE115は、SPSアップリンク送信のために指定され得る第1のTTI305-bの間に、データを基地局105に送信することができる。続いて、基地局105は、送信の復号に成功しないことがあり、または送信を完全に見逃すことがある。基地局105は次いで、送信の復号が成功しなかったことまたは送信が受信されなかったことを示すNACKを第2のTTI310-bにおいて送信することができる。したがって、第1のUE115は、第3のTTI315-bの間にデータを再送信することを試み得る。SPSスケジューリングとHARQタイミングとの整合により、第3のTTI315-bはSPSアップリンク送信のために指定され得る。したがって、第1のUE115からの再送信は、第3のTTI315-bのリソースが第1のUE115にすでに割り振られているので、第2のUE115からの送信と干渉し得ない。SPS TTI周期をHARQフィードバックタイミングと揃えることは、基地局105、UE115、または本明細書で説明されるようないくつかの他のネットワークエンティティによって行われ得る。
【００７５】
図3Cは、SPSアップリンク送信のためにスケジューリングされるリソースとHARQタイミングに従ってデータを再送信するために使用されるリソースとの整合の例を示す。たとえば、HARQタイミングの構成は、SPSアップリンク送信のために指定されるTTI間の時間長と揃うように調整され得る。いくつかの例では、第1のUE115は、SPSアップリンク送信のために指定され得る第1のTTI305-cの間に、データを基地局105に送信することができる。続いて、基地局105は、送信の復号に成功しないことがあり、または送信を完全に見逃すことがある。基地局105は次いで、送信の復号が成功しなかったことまたは送信が受信されなかったことを示すNACKを第2のTTI310-cにおいて送信することができる。したがって、第1のUE115は、第3のTTI315-cの間にデータを再送信することを試み得る。HARQタイミングおよびSPSスケジューリングとの整合により、第3のTTI315-cはSPSアップリンク送信のために指定され得る。したがって、第1のUE115からの再送信は、第3のTTI315-cのリソースが第1のUE115にすでに割り振られているので、第2のUE115からの送信と干渉し得ない。
【００７６】
HARQタイミングをSPS TTI周期と揃えることは、基地局105、UE115、または本明細書で説明されるようないくつかの他のネットワークエンティティによって行われ得る。また、UE115は、SPS通信のために構成される修正されたHARQタイミングに従ってSPS通信を送信し得るが、非SPSアップリンク送信のために構成される異なるHARQタイミング(たとえば、N+8タイミング)に従って非SPS通信を送信し得る。
【００７７】
図4は、低レイテンシ強化のためのアップリンクSPSのための増分的冗長性技法400の例を示す。図4の例では、増分的冗長性技法は、送信の冗長バージョンがインクリメントされなかった場合よりも少ない再送信で送信を復号する可能性を高めることができる。
【００７８】
場合によっては、TTI405-aの第1のブロックが、基地局105とUE115との間の通信に使用され得る。UE115は、SPSアップリンク送信のために割り振られるTTIの例であり得る、第1のTTI410-aの間にデータを送信することができる。第1のTTI410-aの間に送信されたアップリンクメッセージを受信した後、基地局105は、アップリンクメッセージがアップリンクメッセージの第1の送信であるという仮定に基づいて(たとえば、RVID0を仮定して)、第1の動作に従ってアップリンクメッセージを復号することができる。この仮定のもとで、基地局105は、メッセージを以前に受信されたメッセージと合成することなく、メッセージを復号することを試みる。
【００７９】
他の場合、TTI405-bの第2のブロックが、基地局105とUE115との間の通信に使用され得る。UE115は、SPSアップリンク送信のために割り振られるTTIの例であり得る、第1のTTI410-bの間にデータを送信することができる。第1のTTI410-bの間に送信されたアップリンクメッセージを受信した後、基地局105は、アップリンクメッセージがアップリンクメッセージの第2の送信(たとえば、第1の再送信)であるという仮定に基づいて(たとえば、RVID2を仮定して)、第2の動作に従ってアップリンクメッセージを復号することができる。したがって、基地局105は、第1のTTI410-bの間に送信されたアップリンクメッセージから復号されたデータを、(たとえば、8サブフレーム前の)第2のTTI415-aの間に送信された以前のアップリンクメッセージ(たとえば、基地局105のバッファに記憶されている)から復号されたデータと合成することができる。基地局105は次いで、第1のTTI410-bの間に送信されるアップリンクメッセージからの追加のデータを決定するためにこの情報を使用することができる。
【００８０】
さらに他の場合、TTI405-cの第3のブロックが、基地局105とUE115との間の通信に使用され得る。UE115は、SPSアップリンク送信のために割り振られるTTIの例であり得る、第1のTTI410-cの間にデータを送信することができる。第1のTTI410-cの間に送信されたアップリンクメッセージを受信した後、基地局105は、アップリンクメッセージがアップリンクメッセージの第3の送信であるという仮定に基づいて(たとえば、RVID3を仮定して)、第3の動作に従ってアップリンクメッセージを復号することができる。したがって、基地局105は、第1のTTI410-cの間に送信されたアップリンクメッセージから復号されたデータを、(たとえば、8サブフレーム前の)第2のTTI415-bの間に送信された以前のアップリンクメッセージから復号されたデータおよび(たとえば、16サブフレーム前の)第3のTTI420-aの間に送信された別の以前のアップリンクメッセージから復号されたデータと合成することができる。基地局105は次いで、第1のTTI410-cの間に送信されるアップリンクメッセージから追加のデータを決定するためにこの情報を使用することができる。
【００８１】
さらに他の場合、TTI405-dの第4のブロックが、基地局105とUE115との間の通信に使用され得る。UE115は、SPSアップリンク送信のために割り振られるTTIの例であり得る、第1のTTI410-dの間にデータを送信することができる。第1のTTI410-dの間に送信されたアップリンクメッセージを受信した後、基地局105は、アップリンクメッセージがアップリンクメッセージの第4の送信であるという仮定に基づいて(たとえば、RVID1を仮定して)、第4の動作に従ってアップリンクメッセージを復号することができる。したがって、基地局105は、第1のTTI410-dの間に送信されたアップリンクメッセージから復号されたデータを、(たとえば、8サブフレーム前の)第2のTTI415-cの間に送信された以前のアップリンクメッセージから復号されたデータ、(たとえば、16サブフレーム前の)第3のTTI420-bの間に送信された別の以前のアップリンクメッセージから復号されたデータ、および(たとえば、24サブフレーム前の)第4のTTI425-aの間に送信された別の以前のアップリンクメッセージから復号されたデータと合成することができる。基地局105は次いで、第1のTTI410-dの間に送信されるアップリンクメッセージから追加のデータを決定するためにこの情報を使用することができる。
【００８２】
場合によっては、図4に示される4つの異なる復号プロセスは、基地局105において直列または並列に実行され得る。すなわち、基地局105は、第1の仮定を使用してアップリンクメッセージを復号することを試みることがあり、第1の復号がアップリンクメッセージの復号の成功をもたらさなかった場合にのみ異なる仮定を使用してアップリンクメッセージを復号することを試みることがある。並列処理の場合、基地局105は、RVIDについての複数の仮定を同時に使用してアップリンクメッセージを復号することを試みることがある。
【００８３】
場合によっては、基地局105は、特定の動作を使用してアップリンクメッセージを復号するのに成功したことに基づいて、第1のTTI410上で送信されるアップリンクメッセージと関連付けられるHARQプロセスの冗長バージョンを決定することができる。たとえば、基地局105が第4の動作を使用してアップリンクメッセージを復号するのに成功する場合、基地局105は、アップリンクメッセージの送信が第4の送信であると決定することができる(たとえば、RVID1)。
【００８４】
別のシステム構成では、RVID0は、送信がアップリンクメッセージの再送信であるかどうかとは無関係に、すべての送信のために使用され得る。したがって、チェイス合成は、同じ情報が各再送信において送信される誤り訂正の方法として使用され得る。これは、送信の信号エネルギーの増大を助け得る。しかしながら、同じコーディングされたビットを含む再送信と関連付けられる符号化利得がないことがある。符号化利得は、各再送信のための異なるコーディングされたビットとともに(たとえば、増分的冗長性とともに)情報が送信される場合に達成され得る。
【００８５】
図5は、低レイテンシ強化のためのアップリンクSPSのためのプロセスフロー500の例を示す。プロセスフロー500は、図1および図2を参照して上で説明されたUE115の例であり得る、UE115-bによって実行されるステップを含み得る。プロセスフロー500はまた、図1および図2を参照して上で説明された基地局105の例であり得る、基地局105-bによって実行されるステップを含み得る。
【００８６】
ブロック505において、基地局105-bは、ワイヤレス通信システム(たとえば、ワイヤレス通信100またはワイヤレス通信システム200)と関連付けられるHARQプロセスタイミングを特定することができる。HARQプロセスタイミングは、基地局105-bがUE115-bから送信されたメッセージにHARQフィードバックで応答し、UE115-bが再送信で応答する(必要であれば)のにかかる時間長(たとえば、TTIの単位での)を含み得る。場合によっては、HARQプロセスタイミングは、送信と再送信との間に8TTIの時間長を含み得る。本明細書で説明されるように、HARQプロセスタイミングは、基地局105-bまたは別のネットワークエンティティによって構成されることがあり、静的であることがあり、またはSPSアップリンク送信と揃うように調整されることがある。
【００８７】
ブロック510において、基地局105-bは、SPSアップリンク送信のために指定されたTTI間の時間長(すなわち、SPS周期)を特定し得る。場合によっては、SPSアップリンク送信のために指定されるTTI間の時間長は、10TTIの時間長を含み得る。本明細書で説明されるように、SPS周期は、基地局105-bまたは別のネットワークエンティティによって構成されることがあり、静的であることがあり、またはHARQプロセスタイミングと揃うように調整されることがある。
【００８８】
ステップ515において、基地局105-bは次いで、UE115-bからの定期的なアップリンク送信のためのTTIおよび周波数リソースを指定することによって、SPSのためにUE115-bまたはUE115-bと関連付けられるキャリアを構成することができる。この構成は、RRCシグナリングを使用して(たとえば、SPS-configメッセージにおいて)基地局105-bによって示され得る。場合によっては、リソース割振りの周期またはSPSアップリンク送信のために指定されるTTI間の時間長は、この構成に含まれ得る。SPSアップリンク送信のスケジュールは、ブロック505において特定されるHARQプロセスタイミングに、またはブロック510において特定されるSPSアップリンク送信のために指定されるTTI間の時間長に基づき得る。
【００８９】
場合によっては、HARQプロセスタイミングは、ブロック510において特定されるアップリンク送信のために指定されるTTI間の時間長に基づいて構成され得る。したがって、SPS構成は、SPSアップリンク送信のために指定されるTTIの間のHARQプロセスタイミングに従ってアップリンクメッセージの再送信をサポートし得る。基地局105-bはまた、SPSアップリンク送信以外のアップリンク送信のために第2のHARQプロセスタイミングを構成し得る。
【００９０】
他の場合、リソース割振りの周期またはSPSアップリンク送信のために指定されるTTI間の時間長は、ブロック505において特定されるHARQプロセスタイミングに基づいて構成され得る。したがって、SPS構成は、SPSアップリンク送信のために指定されるTTIの間のHARQプロセスタイミングに従ってアップリンクメッセージの再送信をサポートし得る。
【００９１】
ステップ520において、基地局105-bは次いで、UE115-bが割り振られたSPSリソースを使用してアップリンク上で送信することを可能にするために、SPSをアクティブ化し得る。場合によっては、基地局105-bは、SPSスケジューリンググラントを使用してSPSアクティブ化をシグナリングし得る。
【００９２】
ステップ525において、UE115-bは、ステップ515における構成に含まれるスケジュールに従ってSPSアップリンク送信のために指定された第1のTTIの間にアップリンクメッセージを受信することができる。
【００９３】
ステップ530において、基地局105-bは次いで、物理HARQインジケータチャネル(PHICH)上でNACKを送信することができる。場合によっては、NACKを受信する代わりに、UE115-bは、メッセージが基地局105-bによって受信されなかったと宣言する(または別様に決定する)ことができる。
【００９４】
ステップ535において、UE115-bは、SPSアップリンク送信のために指定された第2のTTIの間にデータを再送信することができる。場合によっては、再送信のタイミングは、構成に含まれるスケジュールまたはステップ515において特定されるHARQタイミングに基づき得る。すなわち、図3において説明されたように、再送信はSPSアップリンク送信のために指定されたリソースの間に発生するようにスケジューリングされ得る。
【００９５】
図6は、低レイテンシ強化のためのアップリンクSPSのためのプロセスフロー600の例を示す。プロセスフロー600は、図1および図2を参照して上で説明されたUE115の例であり得る、UE115-cによって実行されるステップを含み得る。プロセスフロー600はまた、図1および図2を参照して上で説明された基地局105の例であり得る、基地局105-cによって実行されるステップを含み得る。プロセスフロー600は、図3を参照して上で説明されたSPSおよびHARQタイミングスケジューリング方法の例であり得る。
【００９６】
ブロック605において、基地局105-cは、ワイヤレス通信システム(たとえば、ワイヤレス通信100またはワイヤレス通信システム200)と関連付けられるHARQプロセスタイミングを特定することができる。場合によっては、HARQプロセスタイミングは、送信と再送信との間に8TTIの時間長を含み得る。
【００９７】
ブロック610において、基地局105-cは、SPSアップリンク送信のために指定されたTTI間の時間長(すなわち、SPS周期)を特定し得る。場合によっては、SPSアップリンク送信のために指定されるTTI間の時間長は、10TTIの時間長を含み得る。
【００９８】
ステップ615において、基地局105-cは、UE115-cからの定期的なアップリンク送信のためのTTIおよび周波数リソースを指定することによって、SPSのためにUE115-cまたはUE115-cと関連付けられるキャリアを構成することができる。場合によっては、この構成は、RRCシグナリングを使用して(たとえば、SPS-configメッセージにおいて)基地局105-cによって示され得る。加えて、この構成は、SPSアップリンク送信のために指定された複数のTTIのスケジュールの指示を含み得る。
【００９９】
ステップ620において、基地局105-cは次いで、UE115-cが割り振られたSPSリソースを使用してアップリンク上で送信することを可能にするために、SPSをアクティブ化し得る。
【０１００】
ステップ625において、UE115-cは、SPSアップリンク送信のために指定された複数のTTIの第1のTTI上でアップリンクメッセージを送信することができる。基地局105-cは、SPSアップリンク送信のために指定された複数のTTIの第1のTTIの間に送信されるアップリンクメッセージを復号するのに成功しないことがある。場合によっては、アップリンクメッセージを復号するのに成功しないことは、アップリンクメッセージを受信しないことを含み得る。
【０１０１】
ブロック630において、UE115-cは次いで、HARQプロセスタイミングに従ってHARQフィードバックのために指定されるダウンリンクTTIにおけるシグナリングの不在に基づいて、アップリンクメッセージの復号が成功しなかったと決定することができる。したがって、UE115-cは、ステップ625において送信されるデータに対するNACKを宣言し得る。
【０１０２】
ブロック635において、UE115-cは、HARQプロセスタイミングに従って再送信のために指定された第1のアップリンクTTIにおいてアップリンクメッセージを再送信するのを控えることができる。場合によっては、SPSアップリンク送信のために指定された複数のTTIは第1のアップリンクTTIを含まないことがある。すなわち、UE115-cは、これらの非SPS TTIがアップリンク再送信のためにUE115-cに対してスケジューリングされる(または別様にUE115-cに対して利用可能である)場合であっても、非SPS TTIの間にアップリンクメッセージを再送信するのを控えることがある。
【０１０３】
ステップ640において、UE115-cは次いで、SPSアップリンク送信のために指定された複数のTTIの第2のアップリンクTTIにおいてアップリンクメッセージを再送信することができる。
【０１０４】
図7は、低レイテンシ強化のためのアップリンクSPSのためのプロセスフロー700の例を示す。プロセスフロー700は、図1および図2を参照して上で説明されたUE115の例であり得る、UE115-dによって実行されるステップを含み得る。プロセスフロー700はまた、図1および図2を参照して上で説明された基地局105の例であり得る、基地局105-dによって実行されるステップを含み得る。プロセスフロー700は、図4を参照して上で説明された複数仮説RVID復号方法の例であり得る。
【０１０５】
ステップ705において、基地局105-dは、UE115-dからの定期的なアップリンク送信のためのTTIおよび周波数リソースを指定することによって、SPSのためにUE115-dまたはUE115-dと関連付けられるキャリアを構成することができる。場合によっては、この構成は、RRCシグナリングを使用して(たとえば、SPS-configメッセージにおいて)基地局105-dによって示され得る。
【０１０６】
ステップ710において、基地局105-dは次いで、UE115-dが割り振られたSPSリソースを使用してアップリンク上で送信することを可能にするために、SPSをアクティブ化し得る。
【０１０７】
ステップ715において、SPSアップリンク送信のために指定されたTTIの間に構成されたキャリア上でアップリンクメッセージを、UE115-dは送信することができ、基地局105-dは受信することができる。基地局105-dは次いで、アップリンクメッセージを復号することを試み得る。場合によっては、基地局105-dはアップリンクメッセージを完全に復号することに失敗することがあり、基地局105-dはアップリンクメッセージの復号に成功した部分をバッファに保存することがある。
【０１０８】
ステップ720において、SPSアップリンク送信のために指定されたTTIの間に構成されたキャリア上でアップリンクメッセージを、UE115-dは送信することができ、基地局105-dは受信することができる。基地局105-dは次いで、アップリンクメッセージを復号することを試み得る。いくつかの場合、基地局105-dはアップリンクメッセージを完全に復号することに失敗することがあり、基地局105-dはアップリンクメッセージの復号に成功した部分をバッファに保存することがある。
【０１０９】
ステップ725において、SPSアップリンク送信のために指定されたTTIの間に構成されたキャリア上でアップリンクメッセージを、UE115-dは送信することができ、基地局105-dは受信することができる。基地局105-dは次いで、アップリンクメッセージを復号することを試み得る。いくつかの場合、基地局105-dはアップリンクメッセージを完全に復号することに失敗することがあり、基地局105-dはアップリンクメッセージの復号に成功した部分をバッファに保存することがある。
【０１１０】
ステップ730において、SPSアップリンク送信のために指定されたTTIの間に構成されたキャリア上でアップリンクメッセージを、UE115-dは送信することができ、基地局105-dは受信することができる。基地局105-dは次いで、アップリンクメッセージを復号することを試み得る。場合によっては、基地局105-dはアップリンクメッセージを完全に復号することに失敗することがあり、基地局105-dはアップリンクメッセージの復号に成功した部分をバッファに保存することがある。
【０１１１】
ステップ715、720、および725において示される点線は、これらのメッセージを受信し復号することに失敗することが以下で説明されるプロセスにおいて任意選択のステップであることを示す。すなわち、いくつかの場合には、これらのメッセージのいずれもがステップ730においてメッセージを受信する前に受信されず、他の場合には、メッセージの一部またはすべてがステップ730においてメッセージを受信する前に受信される。
【０１１２】
ブロック735において、基地局105-dは、第1の動作に従ってステップ730において受信されるアップリンクメッセージを復号することができる。場合によっては、基地局105-dは、アップリンクメッセージがアップリンクメッセージの第1の送信であるという仮定に基づいて(たとえば、RVID0を仮定する)アップリンクメッセージを復号することができる。基地局105-dはまた、第1の動作に従ってアップリンクメッセージを復号したことに基づいて、アップリンクメッセージのHARQプロセスの冗長バージョンを決定することができる。
【０１１３】
ブロック740において、基地局105-dは、第2の動作に従ってステップ730において受信されるアップリンクメッセージを復号することができる。場合によっては、基地局105-dは、アップリンクメッセージがアップリンクメッセージの第2の送信(たとえば、第1の再送信)であるという仮定に基づいて(たとえば、RVID2を仮定する)アップリンクメッセージを復号することができる。第2の動作は、ステップ730において受信されたアップリンクメッセージを、アップリンクメッセージから所定の数のTTI前に受信された少なくとも1つの以前のアップリンクメッセージと合成することを含み得る。たとえば、ステップ730において受信されたアップリンクメッセージは、ステップ725において受信されたアップリンクメッセージと合成され得る。いくつかの例では、所定の数のTTIは、8の倍数個のTTIを含み得る。基地局105-dはまた、第1の動作に従ってアップリンクメッセージを復号したことに基づいて、アップリンクメッセージのHARQプロセスの冗長バージョンを決定することができる。基地局105-dはまた、第2の動作に従ってアップリンクメッセージを復号したことに基づいて、アップリンクメッセージのHARQプロセスの冗長バージョンを決定することができる。
【０１１４】
ブロック745において、基地局105-dは、第3の動作に従ってステップ730において受信されるアップリンクメッセージを復号することができる。場合によっては、基地局105-dは、アップリンクメッセージがアップリンクメッセージの第3の送信であるという仮定に基づいて(たとえば、RVID3を仮定する)アップリンクメッセージを復号することができる。第3の動作は、ステップ730において受信されたアップリンクメッセージを、アップリンクメッセージから所定の数のTTI前に受信された少なくとも1つの以前のアップリンクメッセージと合成することを含み得る。たとえば、ステップ730において受信されたアップリンクメッセージは、ステップ725において受信されたアップリンクメッセージおよびステップ720において受信されたアップリンクメッセージと合成され得る。いくつかの例では、所定の数のTTIは、8の倍数個のTTIを含み得る。基地局105-dはまた、第3の動作に従ってアップリンクメッセージを復号したことに基づいて、アップリンクメッセージのHARQプロセスの冗長バージョンを決定することができる。
【０１１５】
ブロック750において、基地局105-dは、第4の動作に従ってステップ730において受信されるアップリンクメッセージを復号することができる。場合によっては、基地局105-dは、アップリンクメッセージがアップリンクメッセージの第4の送信であるという仮定に基づいて(たとえば、RVID1を仮定する)アップリンクメッセージを復号することができる。第4の動作は、ステップ730において受信されたアップリンクメッセージを、アップリンクメッセージから所定の数のTTI前に受信された少なくとも1つの以前のアップリンクメッセージと合成することを含み得る。たとえば、ステップ730において受信されるアップリンクメッセージは、ステップ725において受信されたアップリンクメッセージ、ステップ720において受信されたアップリンクメッセージ、およびステップ715において受信されたアップリンクメッセージと合成され得る。いくつかの例では、所定の数のTTIは8の倍数個のTTIを含み得る。基地局105-dはまた、第4の動作に従ってアップリンクメッセージを復号することに基づいて、アップリンクメッセージのHARQプロセスの冗長バージョンを決定することができる。
【０１１６】
図8は、本開示の様々な態様による、低レイテンシ強化のためのアップリンクSPSをサポートするワイヤレスデバイス805のブロック図800を示す。ワイヤレスデバイス805は、図1を参照して説明されたような基地局105の態様の例であり得る。ワイヤレスデバイス805は、受信機810、基地局SPSマネージャ815、および送信機820を含み得る。ワイヤレスデバイス805はプロセッサも含み得る。これらの構成要素の各々は、(たとえば、1つまたは複数のバスを介して)互いに通信していることがある。
【０１１７】
受信機810は、パケット、ユーザデータ、または様々な情報チャネル(たとえば、制御チャネル、データチャネル、および低レイテンシ強化のためのアップリンクSPSに関する情報など)と関連付けられる制御情報などの情報を受信し得る。情報は、デバイスの他の構成要素に渡され得る。受信機810は、図11を参照して説明されるトランシーバ1135の態様の例であり得る。
【０１１８】
基地局SPSマネージャ815は、図9、図10、および図11を参照して説明される、基地局SPSマネージャ915、基地局SPSマネージャ1015、または基地局SPSマネージャ1115の態様の例であり得る。
【０１１９】
基地局SPSマネージャ815は、ハイブリッド自動再送要求(HARQ)プロセスタイミングを特定し、半永続SPSアップリンク送信のために指定されたTTI間の時間長を特定し、SPSアップリンク送信のためのキャリアを構成し、SPSアップリンク送信のスケジュールが、HARQプロセスタイミングと、SPSアップリンク送信のために指定されたTTI間の時間長とに基づき、キャリア構成およびSPSアップリンク送信のスケジュールを示すシグナリングを送信することができる。基地局SPSマネージャ815はまた、HARQプロセスタイミングを特定し、SPSアップリンク送信のために指定されたTTIのセットを用いてSPSアップリンク送信のためのキャリアを構成し、SPSアップリンク送信のために指定されるTTIのセットの第1のTTIの間に送信されるアップリンクメッセージの復号に成功せず、SPSアップリンク送信のために指定されるTTIのセットの第2のTTIの間にアップリンクメッセージの再送信を受信することができ、キャリアは、SPSアップリンク送信のために指定されるTTIのセットの第2のTTIに先行する第1のアップリンクTTIを用いて構成され、第1のアップリンクTTIは、HARQプロセスタイミングに従ってアップリンクメッセージの再送信のために指定される。
【０１２０】
基地局SPSマネージャ815はまた、SPSアップリンク送信のためのキャリアを構成し、SPSアップリンク送信のために指定されるTTIの間にアップリンクメッセージを受信し、アップリンクメッセージがアップリンクメッセージの第1の送信であるという仮定に基づく第1の動作に従ってアップリンクメッセージを復号し、アップリンクメッセージがアップリンクメッセージの第2の送信であるという仮定に基づく第2の動作に従ってアップリンクメッセージを復号することができ、第2の動作は、アップリンクメッセージを、アップリンクメッセージの前の所定の数のTTIにおいて受信される少なくとも1つの以前のアップリンクメッセージと合成することを含む。
【０１２１】
送信機820は、デバイスの他の構成要素によって生成された信号を送信し得る。いくつかの例では、送信機820は、トランシーバモジュールの中で受信機810と併置され得る。たとえば、送信機820は、図11を参照して説明されるトランシーバ1135の態様の例であり得る。送信機820は、単一のアンテナを含むことがあり、またはアンテナのセットを含むことがある。
【０１２２】
図9は、本開示の様々な態様による、低レイテンシ強化のためのアップリンクSPSをサポートするワイヤレスデバイス905のブロック図900を示す。ワイヤレスデバイス905は、図1および図8を参照して説明されたようなワイヤレスデバイス805または基地局105の態様の例であり得る。ワイヤレスデバイス905は、受信機910、基地局SPSマネージャ915、および送信機920を含み得る。ワイヤレスデバイス905はプロセッサも含み得る。これらの構成要素の各々は、(たとえば、1つまたは複数のバスを介して)互いに通信していることがある。
【０１２３】
受信機910は、パケット、ユーザデータ、または様々な情報チャネル(たとえば、制御チャネル、データチャネル、および低レイテンシ強化のためのアップリンクSPSに関する情報など)と関連付けられる制御情報などの情報を受信し得る。情報は、デバイスの他の構成要素に渡され得る。受信機910は、図11を参照して説明されるトランシーバ1135の態様の例であり得る。
【０１２４】
基地局SPSマネージャ915は、図8、図10、および図11を参照して説明される、基地局SPSマネージャ815、基地局SPSマネージャ1015、または基地局SPSマネージャ1115の態様の例であり得る。
【０１２５】
基地局SPSマネージャ915はまた、HARQタイミング構成要素925、SPS周期構成要素930、キャリア構成構成要素935、SPS通信構成要素940、HARQフィードバック構成要素945、およびHARQ復号構成要素950を含み得る。
【０１２６】
HARQタイミング構成要素925は、HARQプロセスタイミングを特定し、SPSアップリンク送信のために指定されるTTI間の時間長に基づいてHARQプロセスタイミングを構成し、SPSアップリンク送信以外のアップリンク送信のために第2のHARQプロセスタイミングを構成することができる。場合によっては、SPSアップリンク送信のために指定されたTTI間の時間長は、SPSアップリンク送信のために指定されたTTIの間のHARQプロセスタイミングに従ってアップリンクメッセージの再送信をサポートするように構成される。場合によっては、SPSアップリンク送信のために指定されるTTI間の時間長は、10TTIの時間長を含む。
【０１２７】
SPS周期構成要素930は、SPSアップリンク送信のために指定されるTTI間の時間長を特定し、HARQプロセスタイミングに基づいてSPSアップリンク送信のために指定されるTTI間の時間長を構成することができる。いくつかの場合、SPSアップリンク送信のために指定されたTTI間の時間長は、SPSアップリンク送信のために指定されたTTIの間のHARQプロセスタイミングに従ってアップリンクメッセージの再送信をサポートするように構成される。場合によっては、HARQプロセスタイミングは、送信と再送信との間に8TTIの時間長を含む。
【０１２８】
キャリア構成構成要素935は、SPSアップリンク送信のためのキャリアを構成することができ、SPSアップリンク送信のスケジュールは、HARQプロセスタイミングと、SPSアップリンク送信のために指定されるTTI間の時間長とに基づく。
【０１２９】
SPS通信構成要素940は、キャリア構成およびSPSアップリンク送信のスケジュールを示すシグナリングを送信し、スケジュールに従ってSPSアップリンク送信のために指定される第1のTTIの間にアップリンクメッセージを受信し、SPSアップリンク送信のために指定される第2のTTI上でアップリンクメッセージの再送信を受信し、再送信のタイミングがスケジュールおよびHARQプロセスタイミングに基づき、SPSアップリンク送信のために指定されるTTIのセットの第2のTTIの間にアップリンクメッセージの再送信を受信し、キャリアが、SPSアップリンク送信のために指定されるTTIのセットの第2のTTIに先行する第1のアップリンクTTIを用いて構成され、第1のアップリンクTTIが、HARQプロセスタイミングに従ってアップリンクメッセージの再送信のために指定され、SPSアップリンク送信のために指定されるTTIの間にアップリンクメッセージを受信することができる。
【０１３０】
HARQフィードバック構成要素945は、SPSアップリンク送信のために指定されたTTIのセットの第1のTTIの間に送信されるアップリンクメッセージを復号するのに成功しないことがある。
【０１３１】
HARQ復号構成要素950は、アップリンクメッセージがアップリンクメッセージの第1の送信であるという仮定に基づく第1の動作に従ってアップリンクメッセージを復号し、アップリンクメッセージがアップリンクメッセージの第2の送信であるという仮定に基づく第2の動作に従ってアップリンクメッセージを復号し、第2の動作が、アップリンクメッセージを、アップリンクメッセージから所定の数のTTI前に受信された少なくとも1つの以前のアップリンクメッセージと合成することを含み、アップリンクメッセージがアップリンクメッセージの第3の送信であるという仮定に基づく第3の動作に従ってアップリンクメッセージを復号し、第3の動作が、アップリンクメッセージを、アップリンクメッセージの前の所定の数のTTIにおいて各々受信される少なくとも2つの以前のアップリンクメッセージと合成することを含み、アップリンクメッセージがアップリンクメッセージの第4の送信であるという仮定に基づく第4の動作に従ってアップリンクメッセージを復号することができ、第4の動作が、アップリンクメッセージを、アップリンクメッセージの前の所定の数のTTIにおいて各々受信される少なくとも3つの以前のアップリンクメッセージと合成することを含む。いくつかの例では、所定の数のTTIは8の倍数個のTTIを含む。
【０１３２】
送信機920は、デバイスの他の構成要素によって生成された信号を送信し得る。いくつかの例では、送信機920は、トランシーバモジュールの中で受信機910と併置され得る。たとえば、送信機920は、図11を参照して説明されるトランシーバ1135の態様の例であり得る。送信機920は、単一のアンテナを含むことがあり、またはアンテナのセットを含むことがある。
【０１３３】
図10は、本開示の様々な態様による、低レイテンシ強化のためのアップリンクSPSをサポートする基地局SPSマネージャ1015のブロック図1000を示す。基地局SPSマネージャ1015は、図8、図9、および図11を参照して説明される、基地局SPSマネージャ815、基地局SPSマネージャ915、または基地局SPSマネージャ1115の態様の例であり得る。基地局SPSマネージャ1015は、HARQタイミング構成要素1020、SPS周期構成要素1025、キャリア構成構成要素1030、SPS通信構成要素1035、HARQフィードバック構成要素1040、HARQ復号構成要素1045、およびRVID構成要素1050を含み得る。これらのモジュールの各々は、(たとえば、1つまたは複数のバスを介して)互いに直接または間接的に通信し得る。
【０１３４】
HARQタイミング構成要素1020は、HARQプロセスタイミングを特定し、SPSアップリンク送信のために指定されるTTI間の時間長に基づいてHARQプロセスタイミングを構成し、SPSアップリンク送信以外のアップリンク送信のために第2のHARQプロセスタイミングを構成することができる。場合によっては、SPSアップリンク送信のために指定されたTTI間の時間長は、SPSアップリンク送信のために指定されたTTIの間のHARQプロセスタイミングに従ってアップリンクメッセージの再送信をサポートするように構成される。場合によっては、SPSアップリンク送信のために指定されるTTI間の時間長は、10TTIの時間長を含む。
【０１３５】
SPS周期構成要素1025は、SPSアップリンク送信のために指定されるTTI間の時間長を特定し、HARQプロセスタイミングに基づいてSPSアップリンク送信のために指定されるTTI間の時間長を構成することができる。場合によっては、SPSアップリンク送信のために指定されたTTI間の時間長は、SPSアップリンク送信のために指定されたTTIの間のHARQプロセスタイミングに従ってアップリンクメッセージの再送信をサポートするように構成される。場合によっては、HARQプロセスタイミングは、送信と再送信との間に8TTIの時間長を含む。
【０１３６】
キャリア構成構成要素1030は、SPSアップリンク送信のためのキャリアを構成することができ、SPSアップリンク送信のスケジュールは、HARQプロセスタイミングと、SPSアップリンク送信のために指定されるTTI間の時間長とに基づく。
【０１３７】
SPS通信構成要素1035は、キャリア構成およびSPSアップリンク送信のスケジュールを示すシグナリングを送信し、スケジュールに従ってSPSアップリンク送信のために指定される第1のTTIの間にアップリンクメッセージを受信し、SPSアップリンク送信のために指定される第2のTTI上でアップリンクメッセージの再送信を受信し、再送信のタイミングがスケジュールおよびHARQプロセスタイミングに基づき、SPSアップリンク送信のために指定されるTTIのセットの第2のTTIの間にアップリンクメッセージの再送信を受信し、キャリアが、SPSアップリンク送信のために指定されるTTIのセットの第2のTTIに先行する第1のアップリンクTTIを用いて構成され、第1のアップリンクTTIが、HARQプロセスタイミングに従ってアップリンクメッセージの再送信のために指定され、SPSアップリンク送信のために指定されるTTIの間にアップリンクメッセージを受信することができる。
【０１３８】
HARQフィードバック構成要素1040は、SPSアップリンク送信のために指定されるTTIのセットの第1のTTIの間に送信されるアップリンクメッセージの復号に成功しないことがあり、SPSアップリンク送信のために指定されるTTIのセットの第1のTTIの間に送信されるアップリンクメッセージの復号に成功しないことは、アップリンクメッセージを受信しないことを含む。
【０１３９】
HARQ復号構成要素1045は、アップリンクメッセージがアップリンクメッセージの第1の送信であるという仮定に基づく第1の動作に従ってアップリンクメッセージを復号し、アップリンクメッセージがアップリンクメッセージの第2の送信であるという仮定に基づく第2の動作に従ってアップリンクメッセージを復号し、第2の動作が、アップリンクメッセージを、アップリンクメッセージから所定の数のTTI前に受信された少なくとも1つの以前のアップリンクメッセージと合成することを含み、アップリンクメッセージがアップリンクメッセージの第3の送信であるという仮定に基づく第3の動作に従ってアップリンクメッセージを復号し、第3の動作が、アップリンクメッセージを、アップリンクメッセージの前の所定の数のTTIにおいて各々受信される少なくとも2つの以前のアップリンクメッセージと合成することを含み、アップリンクメッセージがアップリンクメッセージの第4の送信であるという仮定に基づく第4の動作に従ってアップリンクメッセージを復号することができ、第4の動作が、アップリンクメッセージを、アップリンクメッセージの前の所定の数のTTIにおいて各々受信される少なくとも3つの以前のアップリンクメッセージと合成することを含む。いくつかの例では、所定の数のTTIは8の倍数個のTTIを含む。
【０１４０】
RVID構成要素1050は、第1の動作に従ってアップリンクメッセージを復号し、第2の動作に従ってアップリンクメッセージを復号することに基づいて、アップリンクメッセージのHARQプロセスの冗長バージョンを決定することができる。
【０１４１】
図11は、本開示の様々な態様による、低レイテンシ強化のためのアップリンクSPSをサポートするデバイス1105を含むシステム1100の図を示す。デバイス1105は、たとえば、図1、図8、および図9を参照して上で説明されたような、ワイヤレスデバイス805、ワイヤレスデバイス905、または基地局105の構成要素の例であり得るか、またはそれを含み得る。デバイス1105は、基地局SPSマネージャ1115、プロセッサ1120、メモリ1125、ソフトウェア1130、トランシーバ1135、アンテナ1140、ネットワーク通信マネージャ1145、および基地局通信マネージャ1150を含めて、通信を送信および受信するための構成要素を含む、双方向音声およびデータ通信のための構成要素を含むことがある。これらの構成要素は、1つまたは複数のバス(たとえば、バス1110)を介して電気的に通信していることがある。デバイス1105は、1つまたは複数のユーザ機器(UE)115とワイヤレスに通信することができる。
【０１４２】
プロセッサ1120は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ1120は、メモリコントローラを使用してメモリアレイを動作させるように構成され得る。他の場合には、メモリコントローラはプロセッサ1120の中に統合され得る。プロセッサ1120は、様々な機能(たとえば、低レイテンシ強化のためのアップリンクSPSをサポートする機能またはタスク)を実行するためにメモリに記憶されたコンピュータ可読命令を実行するように構成され得る。
【０１４３】
メモリ1125は、ランダムアクセスメモリ(RAM)および読取り専用メモリ(ROM)を含み得る。メモリ1125は、実行されると、本明細書で説明される様々な機能をプロセッサに実行させる命令を含む、コンピュータ可読のコンピュータ実行可能ソフトウェア1130を記憶し得る。場合によっては、メモリ1125は、特に、周辺構成要素またはデバイスとの相互作用などの、基本的なハードウェアおよび/またはソフトウェア動作を制御し得る、基本入出力システム(BIOS)を含み得る。
【０１４４】
ソフトウェア1130は、低レイテンシ強化のためのアップリンクSPSをサポートするためのコードを含む、本開示の態様を実装するためのコードを含み得る。ソフトウェア1130は、システムメモリまたは他のメモリなどの、非一時的コンピュータ可読媒体に記憶され得る。場合によっては、ソフトウェア1130は、プロセッサによって直接実行可能ではないことがあるが、(たとえば、コンパイルされ、実行されると)本明細書で説明される機能をコンピュータに実行させ得る。
【０１４５】
トランシーバ1135は、上で説明されたように、1つまたは複数のアンテナ、有線リンク、またはワイヤレスリンクを介して、双方向に通信し得る。たとえば、トランシーバ1135は、ワイヤレストランシーバを表すことがあり、別のワイヤレストランシーバと双方向に通信することがある。トランシーバ1135はまた、パケットを変調し、変調されたパケットを送信のためにアンテナに与え、アンテナから受信されたパケットを復調するためのモデムを含み得る。
【０１４６】
場合によっては、ワイヤレスデバイスは、単一のアンテナ1140を含み得る。しかしながら、場合によっては、デバイスは、複数のワイヤレス送信を同時に送信または受信することが可能であり得る1つより多くのアンテナ1140を有し得る。
【０１４７】
ネットワーク通信マネージャ1145は、(たとえば、1つまたは複数の有線バックホールリンクを介した)コアネットワークとの通信を管理し得る。たとえば、ネットワーク通信マネージャ1145は、1つまたは複数のUE115などのクライアントデバイスのためのデータ通信の転送を管理し得る。
【０１４８】
基地局通信マネージャ1150は、他の基地局105との通信を管理することができ、他の基地局105と協調してUE115との通信を制御するためのコントローラまたはスケジューラを含み得る。たとえば、基地局通信マネージャ1150は、ビームフォーミングまたはジョイント送信などの様々な干渉緩和技法のために、UE115への送信のためのスケジューリングを協調させ得る。いくつかの例では、基地局通信マネージャ1150は、基地局105間で通信を行うために、Long Term Evolution(LTE)/LTE-Aワイヤレス通信ネットワーク技術内のX2インターフェースを提供し得る。
【０１４９】
図12は、本開示の様々な態様による、低レイテンシ強化のためのアップリンクSPSをサポートするワイヤレスデバイス1205のブロック図1200を示す。ワイヤレスデバイス1205は、図1を参照して説明されたようなUE115の態様の例であり得る。ワイヤレスデバイス1205は、受信機1210、UE SPSマネージャ1215、および送信機1220を含み得る。ワイヤレスデバイス1205はプロセッサも含み得る。これらの構成要素の各々は、(たとえば、1つまたは複数のバスを介して)互いに通信していることがある。
【０１５０】
受信機1210は、パケット、ユーザデータ、または様々な情報チャネル(たとえば、制御チャネル、データチャネル、および低レイテンシ強化のためのアップリンクSPSに関する情報など)と関連付けられる制御情報などの情報を受信し得る。情報は、デバイスの他の構成要素に渡され得る。受信機1210は、図15を参照して説明されるトランシーバ1535の態様の例であり得る。
【０１５１】
UE SPSマネージャ1215は、図13、図14、または図15を参照して説明されるUE SPSマネージャ1315、UE SPSマネージャ1415、またはUE SPSマネージャ1515の態様の例であり得る。
【０１５２】
UE SPSマネージャ1215は、キャリアがSPSアップリンク送信のために構成されることを示すシグナリングを受信し、SPSアップリンク送信のスケジュールが、HARQプロセスタイミングと、SPSアップリンク送信のために指定されたTTI間の時間長とに基づき、このシグナリングに基づいてSPSアップリンク送信のために指定されたTTI間の時間長を決定し、SPSアップリンク送信のスケジュールおよびHARQプロセスタイミングに従って、SPSアップリンク送信のために指定されるTTIの間に基地局105と通信することができる。UE SPSマネージャ1215はまた、キャリアがSPSアップリンク送信のために構成されることを示すシグナリングを受信し、このシグナリングがSPSアップリンク送信のために指定されたTTIのセットのスケジュールを示し、SPSアップリンク送信のために指定されたTTIのセットの第1のTTI上でアップリンクメッセージを送信し、HARQプロセスタイミングに従ってHARQフィードバックのために指定されるダウンリンクTTIにおけるシグナリングの不在に基づいて、アップリンクメッセージの復号が成功しなかったと決定し、HARQプロセスタイミングに従って再送信のために指定される第1のアップリンクTTIにおいてアップリンクメッセージを再送信するのを控え、SPSアップリンク送信のために指定されるTTIのセットが第1のアップリンクTTIを含まず、SPSアップリンク送信のために指定されるTTIのセットの第2のアップリンクTTIにおいてアップリンクメッセージを再送信することができる。
【０１５３】
送信機1220は、デバイスの他の構成要素によって生成された信号を送信し得る。いくつかの例では、送信機1220は、トランシーバモジュールの中で受信機1210と併置され得る。たとえば、送信機1220は、図15を参照して説明されるトランシーバ1535の態様の例であり得る。送信機1220は、単一のアンテナを含むことがあり、またはアンテナのセットを含むことがある。
【０１５４】
図13は、本開示の様々な態様による、低レイテンシ強化のためのアップリンクSPSをサポートするワイヤレスデバイス1305のブロック図1300を示す。ワイヤレスデバイス1305は、図1および図12を参照して説明されたようなワイヤレスデバイス1205またはUE115の態様の例であり得る。ワイヤレスデバイス1305は、受信機1310、UE SPSマネージャ1315、および送信機1320を含み得る。ワイヤレスデバイス1305はプロセッサも含み得る。これらの構成要素の各々は、(たとえば、1つまたは複数のバスを介して)互いに通信していることがある。
【０１５５】
受信機1310は、パケット、ユーザデータ、または様々な情報チャネル(たとえば、制御チャネル、データチャネル、および低レイテンシ強化のためのアップリンクSPSに関する情報など)と関連付けられる制御情報などの情報を受信し得る。情報は、デバイスの他の構成要素に渡され得る。受信機1310は、図15を参照して説明されるトランシーバ1535の態様の例であり得る。
【０１５６】
UE SPSマネージャ1315は、図12、図14、または図15を参照して説明されるUE SPSマネージャ1215、UE SPSマネージャ1415、またはUE SPSマネージャ1515の態様の例であり得る。
【０１５７】
UE SPSマネージャ1315はまた、キャリア構成構成要素1325と、SPS周期構成要素1330と、SPS通信構成要素1335と、HARQフィードバック構成要素1340とを含み得る。
【０１５８】
キャリア構成構成要素1325は、キャリアがSPSアップリンク送信のために構成されることを示すシグナリングを受信することができ、SPSアップリンク送信のスケジュールは、HARQプロセスタイミングと、SPSアップリンク送信のために指定されるTTI間の時間長とに基づく。
【０１５９】
SPS周期構成要素1330は、このシグナリングに基づいてSPSアップリンク送信のために指定されるTTI間の時間長を決定することができる。
【０１６０】
SPS通信構成要素1335は、SPSアップリンク送信のスケジュールおよびHARQプロセスタイミングに従ってSPSアップリンク送信のために指定されるTTIの間に基地局105と通信し、SPSアップリンク送信のために指定されるTTIのセットの第1のTTI上でアップリンクメッセージを送信することができる。いくつかの例では、SPS通信構成要素1335は、SPSアップリンク送信のために指定される第2のTTI上でアップリンクメッセージを再送信することができ、再送信のタイミングはスケジュールおよびHARQプロセスタイミングに基づく。いくつかの例では、SPS通信構成要素1335は、HARQプロセスタイミングに従って再送信のために指定される第1のアップリンクTTIにおいてアップリンクメッセージを再送信するのを控えることができ、SPSアップリンク送信のために指定されるTTIのセットは第1のアップリンクTTIを含まない。いくつかの例では、SPS通信構成要素1335は、SPSアップリンク送信のために指定されたTTIのセットの第2のアップリンクTTIにおいてアップリンクメッセージを再送信することができる。場合によっては、基地局105と通信することは、スケジュールに従ってSPSアップリンク送信のために指定される第1のTTIの間にアップリンクメッセージを送信することを含む。
【０１６１】
HARQフィードバック構成要素1340は、NACKを受信し、SPSアップリンク送信のために指定される第2のTTI上でアップリンクメッセージを再送信することがこのNACKを受信したことに基づき、HARQプロセスタイミングに従ってHARQフィードバックのために指定されるダウンリンクTTIにおけるシグナリングの不在に基づいてアップリンクメッセージの復号が成功しなかったと決定することができる。
【０１６２】
送信機1320は、デバイスの他の構成要素によって生成された信号を送信し得る。いくつかの例では、送信機1320は、トランシーバモジュールの中で受信機1310と併置され得る。たとえば、送信機1320は、図15を参照して説明されるトランシーバ1535の態様の例であり得る。送信機1320は、単一のアンテナを含むことがあり、またはアンテナのセットを含むことがある。
【０１６３】
図14は、本開示の様々な態様による、低レイテンシ強化のためのアップリンクSPSをサポートするUE SPSマネージャ1415のブロック図1400を示す。UE SPSマネージャ1415は、図12、図13、または図15を参照して説明されるUE SPSマネージャ1215、UE SPSマネージャ1315、またはUE SPSマネージャ1515の態様の例であり得る。UE SPSマネージャ1415は、キャリア構成構成要素1420と、SPS周期構成要素1425と、SPS通信構成要素1430と、HARQフィードバック構成要素1435とを含み得る。これらのモジュールの各々は、(たとえば、1つまたは複数のバスを介して)互いに直接または間接的に通信し得る。
【０１６４】
キャリア構成構成要素1420は、キャリアがSPSアップリンク送信のために構成されることを示すシグナリングを受信することができ、SPSアップリンク送信のスケジュールは、HARQプロセスタイミングと、SPSアップリンク送信のために指定されるTTI間の時間長とに基づく。
【０１６５】
SPS周期構成要素1425は、このシグナリングに基づいてSPSアップリンク送信のために指定されるTTI間の時間長を決定することができる。
【０１６６】
SPS通信構成要素1430は、SPSアップリンク送信のスケジュールおよびHARQプロセスタイミングに従ってSPSアップリンク送信のために指定されるTTIの間に基地局105と通信し、SPSアップリンク送信のために指定される第2のTTI上でアップリンクメッセージを再送信し、再送信のタイミングがスケジュールおよびHARQプロセスタイミングに基づき、SPSアップリンク送信のために指定されるTTIのセットの第1のTTI上でアップリンクメッセージを送信し、HARQプロセスタイミングに従って再送信のために指定される第1のアップリンクTTIにおいてアップリンクメッセージを再送信するのを控え、SPSアップリンク送信のために指定されるTTIのセットが第1のアップリンクTTIを含まず、SPSアップリンク送信のために指定されるTTIのセットの第2のアップリンクTTIにおいてアップリンクメッセージを再送信することができる。いくつかの場合、基地局105と通信することは、スケジュールに従ってSPSアップリンク送信のために指定される第1のTTIの間にアップリンクメッセージを送信することを含む。
【０１６７】
HARQフィードバック構成要素1435は、NACKを受信し、SPSアップリンク送信のために指定される第2のTTI上でアップリンクメッセージを再送信することがこのNACKを受信したことに基づき、HARQプロセスタイミングに従ってHARQフィードバックのために指定されるダウンリンクTTIにおけるシグナリングの不在に基づいてアップリンクメッセージの復号が成功しなかったと決定することができる。
【０１６８】
図15は、本開示の様々な態様による、低レイテンシ強化のためのアップリンクSPSをサポートするデバイス1505を含むシステム1500の図を示す。デバイス1505は、たとえば、図1を参照して上で説明されたような、UE115の構成要素の例であることがあり、またはそれを含むことがある。デバイス1505は、UE SPSマネージャ1515、プロセッサ1520、メモリ1525、ソフトウェア1530、トランシーバ1535、アンテナ1540、およびI/Oコントローラ1545を含めて、通信を送信および受信するためのコンポーネントを含む、双方向音声およびデータ通信のための構成要素を含むことがある。これらの構成要素は、1つまたは複数のバス(たとえば、バス1510)を介して電気的に通信していることがある。デバイス1505は、1つまたは複数の基地局105とワイヤレスに通信することができる。
【０１６９】
プロセッサ1520は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1520は、メモリコントローラを使用してメモリアレイを動作させるように構成され得る。他の場合には、メモリコントローラはプロセッサ1520の中に統合され得る。プロセッサ1520は、様々な機能(たとえば、低レイテンシ強化のためのアップリンクSPSをサポートする機能またはタスク)を実行するためにメモリに記憶されたコンピュータ可読命令を実行するように構成され得る。
【０１７０】
メモリ1525は、RAMおよびROMを含み得る。メモリ1525は、実行されると、本明細書で説明される様々な機能をプロセッサに実行させる命令を含む、コンピュータ可読のコンピュータ実行可能ソフトウェア1530を記憶し得る。場合によっては、メモリ1525は、とりわけ、周辺構成要素またはデバイスとの相互作用などの、基本ハードウェアおよび/またはソフトウェア動作を制御し得るBIOSを含み得る。
【０１７１】
ソフトウェア1530は、低レイテンシ強化のためのアップリンクSPSをサポートするためのコードを含む、本開示の態様を実装するためのコードを含み得る。ソフトウェア1530は、システムメモリまたは他のメモリなどの、非一時的コンピュータ可読媒体内に記憶され得る。場合によっては、ソフトウェア1530は、プロセッサによって直接実行可能ではないことがあるが、(たとえば、コンパイルされ、実行されると)本明細書で説明される機能をコンピュータに実行させ得る。
【０１７２】
トランシーバ1535は、上で説明されたように、1つまたは複数のアンテナ、有線リンク、またはワイヤレスリンクを介して、双方向に通信し得る。たとえば、トランシーバ1535は、ワイヤレストランシーバを表すことがあり、別のワイヤレストランシーバと双方向に通信することがある。トランシーバ1535はまた、パケットを変調し、変調されたパケットを送信のためにアンテナに与え、アンテナから受信されたパケットを復調するためのモデムを含み得る。
【０１７３】
場合によっては、ワイヤレスデバイスは、単一のアンテナ1540を含み得る。しかしながら、場合によっては、デバイスは、複数のワイヤレス送信を同時に送信または受信することが可能であり得る1つより多くのアンテナ1540を有し得る。
【０１７４】
I/Oコントローラ1545は、デバイス1505のための入力信号および出力信号を管理し得る。I/Oコントローラ1545はまた、デバイス1505に統合されていない周辺装置を管理し得る。場合によっては、I/Oコントローラ1545は、外部周辺装置への物理接続またはポートを表すことがある。場合によっては、I/Oコントローラ1545は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。
【０１７５】
図16は、本開示の様々な態様による、低レイテンシ強化のためのアップリンクSPSのための方法1600を示すフローチャートを示す。方法1600の動作は、本明細書で説明されるような基地局105またはその構成要素によって実施され得る。たとえば、方法1600の動作は、図8〜図11を参照して説明されたように、基地局SPSマネージャによって実行され得る。いくつかの例では、基地局105は、以下で説明される機能を実行するようにデバイスの機能要素を制御するためのコードのセットを実行し得る。加えて、または代わりに、基地局105は、以下で説明される機能の態様を、専用ハードウェアを使用して実行し得る。
【０１７６】
ブロック1605において、基地局105はHARQプロセスタイミングを特定することができる。ブロック1605の動作は、図1〜図7を参照して説明された方法に従って実行され得る。特定の例では、ブロック1605の動作の態様は、図8〜図11を参照して説明されたように、HARQタイミング構成要素によって実行され得る。
【０１７７】
ブロック1610において、基地局105は、SPSアップリンク送信のために指定されたTTI間の時間長を特定することができる。ブロック1610の動作は、図1〜図7を参照して説明された方法に従って実行され得る。特定の例では、ブロック1610の動作の態様は、図8〜図11を参照して説明されたように、SPS周期構成要素によって実行され得る。
【０１７８】
ブロック1615において、基地局105は、SPSアップリンク送信のためのキャリアを構成することができ、SPSアップリンク送信のスケジュールは、HARQプロセスタイミングと、SPSアップリンク送信のために指定されるTTI間の時間長とに少なくとも一部基づく。ブロック1615の動作は、図1〜図7を参照して説明された方法に従って実行され得る。特定の例では、ブロック1615の動作の態様は、図8〜図11を参照して説明されたように、キャリア構成構成要素によって実行され得る。
【０１７９】
ブロック1620において、基地局105は、キャリア構成およびSPSアップリンク送信のスケジュールを示すシグナリングを送信することができる。ブロック1620の動作は、図1〜図7を参照して説明された方法に従って実行され得る。特定の例では、ブロック1620の動作の態様は、図8〜図11を参照して説明されたように、SPS通信構成要素によって実行され得る。
【０１８０】
図17は、本開示の様々な態様による、低レイテンシ強化のためのアップリンクSPSのための方法1700を示すフローチャートを示す。方法1700の動作は、本明細書で説明されるようなUE115またはその構成要素によって実施され得る。たとえば、方法1700の動作は、図12〜図15を参照して説明されたように、UE SPSマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１８１】
ブロック1705において、UE115は、キャリアがSPSアップリンク送信のために構成されることを示すシグナリングを受信することができ、SPSアップリンク送信のスケジュールは、HARQプロセスタイミングと、SPSアップリンク送信のために指定されるTTI間の時間長とに少なくとも一部基づく。ブロック1705の動作は、図1〜図7を参照して説明された方法に従って実行され得る。特定の例では、ブロック1705の動作の態様は、図12〜図15を参照して説明されたように、キャリア構成構成要素によって実行され得る。
【０１８２】
ブロック1710において、UE115は、このシグナリングに少なくとも一部基づいてSPSアップリンク送信のために指定されるTTI間の時間長を決定することができる。ブロック1710の動作は、図1〜図7を参照して説明された方法に従って実行され得る。特定の例では、ブロック1710の動作の態様は、図12〜図15を参照して説明されたように、SPS周期構成要素によって実行され得る。
【０１８３】
ブロック1715において、UE115は、SPSアップリンク送信のスケジュールおよびHARQプロセスタイミングに従って、SPSアップリンク送信のために指定されるTTIの間に基地局105と通信することができる。ブロック1715の動作は、図1〜図7を参照して説明された方法に従って実行され得る。特定の例では、ブロック1715の動作の態様は、図12〜図15を参照して説明されたように、SPS通信構成要素によって実行され得る。
【０１８４】
図18は、本開示の様々な態様による、低レイテンシ強化のためのアップリンクSPSのための方法1800を示すフローチャートを示す。方法1800の動作は、本明細書で説明されるようなUE115またはその構成要素によって実施され得る。たとえば、方法1800の動作は、図12〜図15を参照して説明されたように、UE SPSマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１８５】
ブロック1805において、UE115は、キャリアがSPSアップリンク送信のために構成されることを示すシグナリングを受信することができ、このシグナリングはSPSアップリンク送信のために指定される複数のTTIのスケジュールを示す。ブロック1805の動作は、図1〜図7を参照して説明された方法に従って実行され得る。特定の例では、ブロック1805の動作の態様は、図12〜図15を参照して説明されたように、キャリア構成構成要素によって実行され得る。
【０１８６】
ブロック1810において、UE115は、SPSアップリンク送信のために指定された複数のTTIの第1のTTI上でアップリンクメッセージを送信することができる。ブロック1810の動作は、図1〜図7を参照して説明された方法に従って実行され得る。特定の例では、ブロック1810の動作の態様は、図12〜図15を参照して説明されたように、SPS通信構成要素によって実行され得る。
【０１８７】
ブロック1815において、UE115は、HARQプロセスタイミングに従ってHARQフィードバックのために指定されるダウンリンクTTIにおけるシグナリングの不在に少なくとも一部基づいて、アップリンクメッセージの復号が成功しなかったと決定することができる。ブロック1815の動作は、図1〜図7を参照して説明された方法に従って実行され得る。特定の例では、ブロック1815の動作の態様は、図12〜図15を参照して説明されたように、HARQフィードバック構成要素によって実行され得る。
【０１８８】
ブロック1820において、UE115は、HARQプロセスタイミングに従って再送信のために指定される第1のアップリンクTTIにおいてアップリンクメッセージを再送信するのを控えることができ、SPSアップリンク送信のために指定される複数のTTIは第1のアップリンクTTIを含まない。ブロック1820の動作は、図1〜図7を参照して説明された方法に従って実行され得る。特定の例では、ブロック1820の動作の態様は、図12〜図15を参照して説明されたように、SPS通信構成要素によって実行され得る。
【０１８９】
ブロック1825において、UE115は、SPSアップリンク送信のために指定された複数のTTIの第2のアップリンクTTIにおいてアップリンクメッセージを再送信することができる。ブロック1825の動作は、図1〜図7を参照して説明された方法に従って実行され得る。特定の例では、ブロック1825の動作の態様は、図12〜図15を参照して説明されたように、SPS通信構成要素によって実行され得る。
【０１９０】
図19は、本開示の様々な態様による、低レイテンシ強化のためのアップリンクSPSのための方法1900を示すフローチャートを示す。方法1900の動作は、本明細書で説明されるような基地局105またはその構成要素によって実施され得る。たとえば、方法1900の動作は、図8〜図11を参照して説明されたように、基地局SPSマネージャによって実行され得る。いくつかの例では、基地局105は、以下で説明される機能を実行するようにデバイスの機能要素を制御するためのコードのセットを実行し得る。加えて、または代わりに、基地局105は、以下で説明される機能の態様を、専用ハードウェアを使用して実行し得る。
【０１９１】
ブロック1905において、基地局105はHARQプロセスタイミングを特定することができる。ブロック1905の動作は、図1〜図7を参照して説明された方法に従って実行され得る。特定の例では、ブロック1905の動作の態様は、図8〜図11を参照して説明されたように、HARQタイミング構成要素によって実行され得る。
【０１９２】
ブロック1910において、基地局105は、SPSアップリンク送信のために指定される複数のTTIを用いてSPSアップリンク送信のためのキャリアを構成することができる。ブロック1910の動作は、図1〜図7を参照して説明された方法に従って実行され得る。特定の例では、ブロック1910の動作の態様は、図8〜図11を参照して説明されたように、キャリア構成構成要素によって実行され得る。
【０１９３】
ブロック1915において、基地局105は、SPSアップリンク送信のために指定された複数のTTIの第1のTTIの間に送信されるアップリンクメッセージの復号に成功しないことがある。ブロック1915の動作は、図1〜図7を参照して説明された方法に従って実行され得る。特定の例では、ブロック1915の動作の態様は、図8〜図11を参照して説明されたように、HARQフィードバック構成要素によって実行され得る。
【０１９４】
ブロック1920において、基地局105は、SPSアップリンク送信のために指定される複数のTTIの第2のTTIの間にアップリンクメッセージの再送信を受信することができ、キャリアは、SPSアップリンク送信のために指定される複数のTTIの第2のTTIに先行する第1のアップリンクTTIを用いて構成され、第1のアップリンクTTIは、HARQプロセスタイミングに従ってアップリンクメッセージの再送信のために指定される。ブロック1920の動作は、図1〜図7を参照して説明された方法に従って実行され得る。特定の例では、ブロック1920の動作の態様は、図8〜図11を参照して説明されたように、SPS通信構成要素によって実行され得る。
【０１９５】
図20は、本開示の様々な態様による、低レイテンシ強化のためのアップリンクSPSのための方法2000を示すフローチャートを示す。方法2000の動作は、本明細書で説明されるような基地局105またはその構成要素によって実施され得る。たとえば、方法2000の動作は、図8〜図11を参照して説明されたように、基地局SPSマネージャによって実行され得る。いくつかの例では、基地局105は、以下で説明される機能を実行するようにデバイスの機能要素を制御するためのコードのセットを実行し得る。加えて、または代わりに、基地局105は、以下で説明される機能の態様を、専用ハードウェアを使用して実行し得る。
【０１９６】
ブロック2005において、基地局105は、SPSアップリンク送信のためのキャリアを構成することができる。ブロック2005の動作は、図1〜図7を参照して説明された方法に従って実行され得る。特定の例では、ブロック2005の動作の態様は、図8〜図11を参照して説明されたように、キャリア構成構成要素によって実行され得る。
【０１９７】
ブロック2010において、基地局105は、SPSアップリンク送信のために指定されたTTIの間にアップリンクメッセージを受信することができる。ブロック2010の動作は、図1〜図7を参照して説明された方法に従って実行され得る。特定の例では、ブロック2010の動作の態様は、図8〜図11を参照して説明されたように、SPS通信構成要素によって実行され得る。
【０１９８】
ブロック2015において、基地局105は、アップリンクメッセージがアップリンクメッセージの第1の送信であるという仮定に少なくとも一部基づく第1の動作に従ってアップリンクメッセージを復号することができる。ブロック2015の動作は、図1〜図7を参照して説明された方法に従って実行され得る。特定の例では、ブロック2015の動作の態様は、図8〜図11を参照して説明されたように、HARQ復号構成要素によって実行され得る。
【０１９９】
ブロック2020において、基地局105は、アップリンクメッセージがアップリンクメッセージの第2の送信であるという仮定に少なくとも一部基づく第2の動作に従ってアップリンクメッセージを復号することができ、第2の動作は、アップリンクメッセージを、アップリンクメッセージの前の所定の数のTTIにおいて受信される少なくとも1つの以前のアップリンクメッセージと合成することを備える。ブロック2020の動作は、図1〜図7を参照して説明された方法に従って実行され得る。特定の例では、ブロック2020の動作の態様は、図8〜図11を参照して説明されたように、HARQ復号構成要素によって実行され得る。
【０２００】
いくつかの例では、図16、図17、図18、図19、または図20を参照して説明された方法1600、1700、1800、1900、または2000のうちの2つ以上からの態様が組み合わされ得る。方法1600、1700、1800、1900、および2000は例示的な実装形態にすぎず、方法1600、1700、1800、1900、または2000の動作は、他の実装形態が可能であるように並べ替えられ、または別様に変更され得ることに留意されたい。
【０２０１】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、Universal Terrestrial Radio Access(UTRA)などの無線技術を実装し得る。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))およびCDMAの他の変形を含む。時分割多元接続(TDMA)システムは、Global System for Mobile Communications(GSM(登録商標))などの無線技術を実装し得る。
【０２０２】
直交周波数分割多元接続(OFDMA)システムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications system(UMTS)の一部である。3GPP Long Term Evolution(LTE)およびLTE-Advanced(LTE-A)は、E-UTRAを使用するUniversal Mobile Telecommunications System(UMTS)の新たなリリースである。UTRA、E-UTRA、UMTS、LTE、LTE-A、およびGlobal System for Mobile communications(GSM(登録商標))は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明される技法は、上述のシステムおよび無線技術、ならびに他のシステムおよび無線技術のために使用され得る。LTEシステムの態様が例として説明されることがあり、説明の大部分においてLTE用語が使用されることがあるが、本明細書で説明される技法はLTE適用例以外に適用可能である。
【０２０３】
本明細書で説明されるそのようなネットワークを含むLTE/LTE-Aネットワークでは、evolved node B(eNB)という用語は一般に、基地局を表すために使用され得る。本明細書で説明される1つまたは複数のワイヤレス通信システムは、異なるタイプのevolved node B(eNB)が様々な地理的領域にカバレッジを与える、異種LTE/LTE-Aネットワークを含み得る。たとえば、各eNBまたは基地局は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【０２０４】
基地局は、基地トランシーバ局、無線基地局、アクセスポイント、無線トランシーバ、NodeB、eNodeB(eNB)、Home NodeB、Home eNodeB、または何らかの他の好適な用語を含み得るか、またはそのように当業者によって呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロセル基地局またはスモールセル基地局)を含み得る。本明細書で説明されるUEは、マクロeNB、スモールセルeNB、中継基地局などを含む、様々なタイプの基地局およびネットワーク機器と通信することが可能であり得る。異なる技術のための重複する地理的カバレッジエリアがあり得る。
【０２０５】
マクロセルは一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、同じまたは異なる(たとえば、免許、免許不要などの)周波数帯域内でマクロセルとして動作し得る低電力基地局である。スモールセルは、様々な例に応じて、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にし得る。フェムトセルも、小さい地理的エリア(たとえば、自宅)をカバーすることができ、フェムトセルとの関連性を有するUE(たとえば、限定加入者グループ(CSG)の中のUE、自宅内のユーザのためのUE、など)による制限付きアクセスを提供することができる。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートし得る。UEは、マクロeNB、スモールセルeNB、中継基地局などを含む、様々なタイプの基地局およびネットワーク機器と通信することが可能であり得る。
【０２０６】
本明細書で説明される1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明される技法は、同期動作または非同期動作のいずれに使用されてもよい。
【０２０７】
本明細書で説明されるダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明される各通信リンクは、1つまたは複数のキャリアを含むことがあり、ここで、各キャリアは、複数のサブキャリア(たとえば、異なる周波数の波形信号)で構成される信号であり得る。
【０２０８】
添付の図面に関して本明細書に記載された説明は、例示的な構成を説明し、実装され得るまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形態で示される。
【０２０９】
添付の図面では、類似の構成要素または特徴は、同じ参照ラベルを有することがある。さらに、同じタイプの様々な構成要素が、参照ラベルの後に、ダッシュおよび類似の構成要素を区別する第2のラベルを続けることによって区別されることがある。第1の参照ラベルのみが本明細書で使用される場合、説明は、第2の参照ラベルにかかわらず、同じ第1の参照ラベルを有する類似の構成要素のうちのいずれにも適用可能である。
【０２１０】
本明細書で説明される情報および信号は、様々な異なる技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２１１】
本開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または他の任意のそのような構成)として実装され得る。
【０２１２】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示および添付の特許請求の範囲の範囲内および趣旨内にある。たとえば、ソフトウェアの性質に起因して、上で説明された機能は、プロセッサによって実行されるソフトウェア、ハードウェア、ファームウェア、ハードワイヤリング、またはこれらのいずれかの組合せを使用して実装され得る。機能を実施する特徴は、機能の部分が異なる物理的位置において実装されるように分散されることを含めて、様々な位置に物理的に配置され得る。特許請求の範囲内を含む、本明細書で使用される「および/または」という用語は、2つ以上の項目の列挙において使用されるとき、列挙される項目のうちのいずれか1つが単独で利用され得ること、または列挙される項目のうちの2つ以上の任意の組合せが利用され得ることを意味する。たとえば、組成物が、構成要素A、B、および/またはCを含むものとして説明される場合、その組成物は、A単体、B単体、C単体、AおよびBを組み合わせて、AおよびCを組み合わせて、BおよびCを組み合わせて、またはA、B、およびCを組み合わせて含み得る。また、特許請求の範囲を含めて、本明細書で使用される場合、項目のリスト(たとえば、「のうちの少なくとも1つ」または「のうちの1つまたは複数」などの句で始まる項目のリスト)内で使用される「または」は、たとえば、「A、B、またはCのうちの少なくとも1つ」というリストがAまたはBまたはCまたはABまたはACまたはBCまたはABC(すなわち、AおよびBおよびC)を意味するような、選言的リストを示す。
【０２１３】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送もしくは記憶するために使用され、汎用コンピュータもしくは専用コンピュータまたは汎用プロセッサもしくは専用プロセッサによってアクセスされ得る、任意の他の非一時的媒体を備え得る。また、いかなる接続も適切にコンピュータ可読媒体と呼ばれる。たとえば、ソフトウェアが、同軸ケーブル、光ファイバケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記のものの組合せも、コンピュータ可読媒体の範囲内に含まれる。
【０２１４】
本明細書で使用される「に基づいて」という句は、条件の閉集合を指すものと解釈されるべきではない。たとえば、「条件Aに基づく」ものとして説明される例示的な特徴は、本開示の範囲から逸脱することなく、条件Aと条件Bの両方に基づくことがある。言い換えると、本明細書で使用される「に基づいて」という句は、「に少なくとも一部基づいて」という句と同じように解釈されるものとする。
【０２１５】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明される例および設計に限定されず、本明細書で開示される原理および新規の特徴と一致する最も広い範囲を与えられるべきである。
【符号の説明】
【０２１６】
100  ワイヤレス通信システム
105  基地局
110  地理的カバレッジエリア
115  UE
125  通信リンク
130  コアネットワーク
132  バックホールリンク
134  バックホールリンク
205  通信リンク
210  TTIグループ
215  TTI
220  TTI
225  TTI
300  スケジューリング技法
305  第1のTTI
310  第2のTTI
315  第3のTTI
400  増分的冗長技法
405  TTI
410  第1のTTI
415  第2のTTI
420  第3のTTI
805  ワイヤレスデバイス
810  受信機
815  基地局SPSマネージャ
820  送信機
905  ワイヤレスデバイス
910  受信機
920  送信機
925  HARQタイミング構成要素
930  SPS周期構成要素
935  キャリア構成構成要素
940  SPS通信構成要素
945  HARQフィードバック構成要素
950  HARQ復号構成要素
1015  基地局SPSマネージャ
1020  HARQタイミング構成要素
1025  SPS周期構成要素
1030  キャリア構成構成要素
1035  SPS通信構成要素
1040  HARQフィードバック構成要素
1045  HARQ復号構成要素
1050  RVID構成要素
1100  システム
1105  デバイス
1110  バス
1115  基地局SPSマネージャ
1120  プロセッサ
1125  メモリ
1130  ソフトウェア
1135  トランシーバ
1140  アンテナ
1145  ネットワーク通信マネージャ
1205  ワイヤレスデバイス
1210  受信機
1215  UE SPSマネージャ
1220  送信機
1305  ワイヤレスデバイス
1310  受信機
1320  送信機
1325  キャリア構成構成要素
1330  SPS周期構成要素
1335  SPS通信構成要素
1340  HARQフィードバック構成要素
1415  UE SPSマネージャ
1420  キャリア構成構成要素
1425  SPS周期構成要素
1430  SPS通信構成要素
1435  HARQフィードバック構成要素
1505  デバイス
1510  バス
1515  UE SPSマネージャ
1520  プロセッサ
1525  メモリ
1530  ソフトウェア
1535  トランシーバ
1540  アンテナ
1545  I/Oコントローラ
【図１】
2019525609.tif 000003
【図２】
2019525609.tif 000004
【図３Ａ】
2019525609.tif 000005
【図３Ｂ】
2019525609.tif 000006
【図３Ｃ】
2019525609.tif 000007
【図４】
2019525609.tif 000008
【図５】
2019525609.tif 000009
【図６】
2019525609.tif 000010
【図７】
2019525609.tif 000011
【図８】
2019525609.tif 000012
【図９】
2019525609.tif 000013
【図１０】
2019525609.tif 000014
【図１１】
2019525609.tif 000015
【図１２】
2019525609.tif 000016
【図１３】
2019525609.tif 000017
【図１４】
2019525609.tif 000018
【図１５】
2019525609.tif 000019
【図１６】
2019525609.tif 000020
【図１７】
2019525609.tif 000021
【図１８】
2019525609.tif 000022
【図１９】
2019525609.tif 000023
【図２０】
2019525609.tif 000024
【国際調査報告】
2019525609.tif 000025
2019525609.tif 000026
2019525609.tif 000027
2019525609.tif 000028
2019525609.tif 000029